(57)【特許請求の範囲】
【請求項１】
撮影空間内の被写体を撮影許容して撮影画像を作成する撮影手段と、
前記被写体の背後で背景となる少なくとも１枚の背景カーテンと、
撮影した画像を編集許容して編集画像を作成する編集手段と、
所定の画像をシールに印刷する印刷手段とを備えた写真シール作成装置であって、
前記撮影手段で前記被写体不在の前記撮影空間を撮影して背景画像を作成する背景画像作成処理と、
前記背景画像から前記背景カーテンの状態を示す背景情報を取得する背景情報取得処理と、
前記背景情報に対して前記背景カーテンの正常な状態を示す所定の値に基づいて前記背景情報を判定し、前記背景情報が正常でないと判定した場合、前記背景カーテンの異常と検知してエラー情報を出力する判定処理とを実行する背景判定手段を備え、
前記背景画像における全域を第１領域とし、前記背景画像における所定の領域を第２領域とし、
前記判定処理を、
前記第１領域、及び前記第２領域における前記背景情報と前記所定の値とをそれぞれ比較判定する構成とし、
前記撮影手段を、
前記第１領域において前記エラー情報が出力され、かつ前記第２領域において前記エラー情報が出力されない場合、前記第２領域を背景とする前記被写体の撮影のみを受け付ける構成とした
写真シール作成装置。
【請求項２】
前記背景情報取得処理を、
前記背景画像における画素毎の色情報と、該色情報に対する所定の色値範囲とを判定して、前記所定の色値範囲内の前記色情報を有する画素で形成した近似色領域を検出し、該近似色領域に基づいて前記背景情報を取得する構成とした
請求項１に記載の写真シール作成装置。
【請求項３】
前記背景情報取得処理を、
前記背景画像における前記近似色領域が占める割合を前記背景情報として取得する構成とした
請求項２に記載の写真シール作成装置。
【請求項４】
前記背景情報取得処理を、
前記近似色領域を除く前記背景画像の領域を非近似色領域とし、該非近似色領域の大きさを前記背景情報として取得する構成とした
請求項２に記載の写真シール作成装置。
【請求項５】
前記背景情報取得処理を、
前記背景画像における画素毎の色情報と、該色情報に対する所定の色値範囲とを判定し、
前記所定の色値範囲内の前記色情報を有する画素で形成した近似色領域、及び該近似色領域を除く前記背景画像の領域を示す非近似色領域を検出して、
前記背景画像における所定の直線方向に走査して検出した前記近似色領域と前記非近似色領域との境界を示す境界位置情報を前記背景情報として取得する構成とした
請求項１に記載の写真シール作成装置。
【請求項６】
前記エラー情報が出力されると、
前記撮影手段による前記被写体の撮影の受け付けを停止して報知する報知手段を備えた
請求項１から５のいずれか１つに記載の写真シール作成装置。
【請求項７】
前記背景判定手段を、
電源を投入するごとに、前記背景画像作成処理、前記背景情報取得処理、及び前記判定処理を順に実行する構成とした
請求項1から６のいずれか１つに記載の写真シール作成装置。
【請求項８】
前記撮影手段で前記被写体不在の前記撮影空間を予め撮影して作成した初期背景画像における背景情報を初期背景情報として記憶する記憶手段を備え、
前記所定の値を、前記初期背景情報からの許容値に基づいて構成した
請求項１から７のいずれか１つに記載の写真シール作成装置。
【請求項９】
撮影空間内の被写体を撮影許容して撮影画像を作成する撮影手段と、前記被写体の背後で背景となる少なくとも１枚の背景カーテンと、撮影した画像を編集許容して編集画像を作成する編集手段と、所定の画像をシールに印刷する印刷手段とを備えた写真シール作成装置により、
背景判定手段の背景画像作成処理により、前記撮影手段で前記被写体不在の前記撮影空間を撮影して背景画像を作成し、
背景判定手段の背景情報取得処理により、前記背景画像から前記背景カーテンの状態を示す背景情報を取得すると、
背景判定手段の判定処理により、前記背景情報に対して前記背景カーテンの正常な状態を示す所定の値に基づいて前記背景情報を判定し、前記背景情報が正常でないと判定した場合、前記背景カーテンの異常と検知してエラー情報を出力する
写真シール作成方法であって、
前記背景画像における全域を第１領域とし、前記背景画像における所定の領域を第２領域とし、
前記判定処理を、
前記第１領域、及び前記第２領域における前記背景情報と前記所定の値とをそれぞれ比較判定する構成とし、
前記撮影手段による撮影処理で、
前記第１領域において前記エラー情報が出力され、かつ前記第２領域において前記エラー情報が出力されない場合、前記第２領域を背景とする前記被写体の撮影のみを受け付ける構成とした
写真シール作成方法。
【発明の詳細な説明】
【技術分野】
【０００１】
この発明は、利用者が被写体となった撮影画像を、写真シールとして出力して利用者に提供するような写真シール作成装置、及び写真シール作成方法に関する。
【背景技術】
【０００２】
従来、利用者が被写体となって自らの操作で撮影した撮影画像に、利用者自身が予め用意されたフレーム画像やスタンプ画像を合成する、あるいはタッチペンを用いて文字などを書き込むなどして編集し、編集した編集画像を写真シールとして出力することができる写真シール作成装置が娯楽施設などに設置されている。
【０００３】
このような写真シール作成装置において、利用者の遊戯に対する満足度を向上させるため、撮影画像における利用者の背後に予め記憶された背景用画像を合成して合成画像を作成する機能も搭載されている。
【０００４】
例えば、撮影空間における利用者の背後、及び床面に単一色の背景カーテンを配置し、撮影画像における利用者と、利用者が任意に選択した背景用画像とをクロマキー合成の手法を用いて合成した合成画像を写真シールとして提供している。
【０００５】
ところが、背景カーテンが正常な位置に配置されない、あるいは背景カーテンに破れが生じていると撮影画像における背景が単一色とならないため、クロマキー合成を正常に行うことができず、利用者が満足するような見栄えの良い合成画像が得られないという問題があった。  
そこで、背景カーテンの破れなどを検出する写真シール作成装置が提案されている。
【０００６】
例えば、特許文献１に記載の写真自動販売装置（本願における写真シール作成装置に相当）は、モータ駆動によって昇降させるロール状の背景ロールカーテン（本願における背景カーテンに相当）がセンサ間を通過するように構成され、背景ロールカーテンが昇降する際、センサの検出反応やモータのパルス値に基づいて背景ロールカーテンの破れや昇降動作の異常を識別し、破れや昇降異常がある場合には背景ロールカーテンの異常として報知するとされている。
【０００７】
しかしながら、特許文献１に記載の写真自動販売装置は、センサの検出反応がない場合、あるいはモータのパルス値とセンサの検出反応とに相違ある場合に、背景ロールカーテンの異常として報知している。つまり、特許文献１に記載の写真自動販売装置は、センサの検出反応があり、かつ昇降動作に支障がない背景ロールカーテンの汚れを検出することができない。このため、背景ロールカーテンが汚れたまま利用者が撮影すると、クロマキー合成が正常に行われず、見栄えの悪い写真シールが提供されるという問題があった。
【先行技術文献】
【特許文献】
【０００８】
【特許文献１】特開２００６−１０６２９６号公報
【発明の概要】
【発明が解決しようとする課題】
【０００９】
この発明は、上述の問題に鑑み、背景カーテンの状態を検知して、見栄えの良い写真シールを出力することができる写真シール作成装置、及び写真シール作成方法を提供することを目的とする。
【課題を解決するための手段】
【００１０】
この発明は、撮影空間内の被写体を撮影許容して撮影画像を作成する撮影手段と、前記被写体の背後で背景となる少なくとも１枚の背景カーテンと、撮影した画像を編集許容して編集画像を作成する編集手段と、所定の画像をシールに印刷する印刷手段とを備えた写真シール作成装置、及び写真シール作成装置の背景カーテン点検方法であって、前記撮影手段で前記被写体不在の前記撮影空間を撮影して背景画像を作成する背景画像作成処理と、前記背景画像から前記背景カーテンの状態を示す背景情報を取得する背景情報取得処理と、前記背景情報に対して前記背景カーテンの正常な状態を示す所定の値に基づいて前記背景情報を判定し、前記背景情報が正常でないと判定した場合、前記背景カーテンの異常と検知してエラー情報を出力する判定処理とを実行する背景判定手段を備え、前記背景画像における全域を第１領域とし、前記背景画像における所定の領域を第２領域とし、前記判定処理を、前記第１領域、及び前記第２領域における前記背景情報と前記所定の値とをそれぞれ比較判定する構成とし、前記撮影手段を、前記第１領域において前記エラー情報が出力され、かつ前記第２領域において前記エラー情報が出力されない場合、前記第２領域を背景とする前記被写体の撮影のみを受け付ける構成としたことを特徴とする。
【００１１】
上記撮影した画像は、撮影画像、あるいは背景用画像などと被写体とを合成した合成画像などとすることができる。  
上記所定の画像は、撮影画像、合成画像、あるいは撮影画像または合成画像を編集した編集画像などとすることができる。
【００１２】
この発明により、背景カーテンの状態を検知して、見栄えの良い写真シールを出力できる写真シール作成装置、及び写真シール作成装置の背景カーテン点検方法を提供することができる。
【００１３】
具体的には、背景カーテンの状態が破れや汚れがなく、かつ配置ズレなどの展開不良がない正常な状態であれば、背景画像作成処理により作成した背景画像には、ほぼ全域において背景カーテンが撮影される。一方、背景カーテンの状態が破れや汚れが生じている、あるいは配置ズレなどの展開不良が生じているなどの異常がある状態であれば、背景画像には、背景カーテンの破れや汚れ、あるいは展開不良による背景カーテン以外の撮影空間が撮影される。
【００１４】
このため、背景カーテンの破れや汚れのない正常な部分を示す領域とそれ以外の部分を示す領域とに背景画像を分けることができる。これにより、正常な部分を示す領域、あるいはそれ以外の部分を示す領域に基づいた背景情報を取得することができる。そして、背景情報に基づいて判定することで、背景カーテンの状態を容易に検知することができる。
【００１５】
さらに、背景カーテンの状態を自動的に検知することができるため、店員による点検の手間を省くことができるとともに、背景カーテンの異常が見落とされることがない。これにより、常に見栄えの良い写真シールを提供することができ、利用者の満足度の向上を図ることができる。  
従って、写真シール作成装置、及び写真シール作成装置の背景カーテン点検方法は、背景カーテンの状態を検知して、見栄えの良い写真シールを出力することができる。
【００１６】
また、前記判定処理を、前記背景情報に対して前記背景カーテンの正常な状態を示す所定の値に基づいて前記背景情報を判定し、前記背景情報が正常でないと判定した場合、前記エラー情報を出力する構成とすることにより、背景カーテンの状態を一定の基準に基づいて判別することができる。これにより、背景カーテンの状態が店員の判断に左右されることがなく、かつ常に被写体の撮影に適した状態に背景カーテンを保つことができる。
【００１７】
上記所定の値は、背景情報に対する下限値、あるいは上限値のいずれか一方、あるいはその両方とすることができる。
【００１８】
さらに、写真シールの見栄えに支障がない軽微な破れや汚れ、あるいは付着した異物を背景カーテンの異常として検知することを防止できる。これにより、軽微な異常を検知して頻繁にエラー情報が出力され、背景カーテンの点検や清掃頻度が上がり、写真シール作成装置の稼働効率が低下することを防止できる。  
従って、写真シール作成装置は、所定の値に基づいて背景情報を判定することで、背景カーテンを被写体の撮影に適した状態に保つことができる。
【００１９】
さらに、前記背景画像における全域を第１領域とし、前記背景画像における所定の領域を第２領域とし、前記判定処理を、前記第１領域、及び前記第２領域における前記背景情報と前記所定の値とをそれぞれ比較判定する構成とし、前記撮影手段を、前記第１領域において前記エラー情報が出力され、かつ前記第２領域において前記エラー情報が出力されない場合、前記第２領域を背景とする前記被写体の撮影のみを受け付ける構成とすることにより、背景カーテンの異常が検知されても背景を限定した撮影を行うことができる。 
上記所定の領域は、被写体の顔などを接写する際における背景となる領域とすることができる。
【００２０】
具体的には、第１領域においてエラー情報が出力され、第２領域においてエラー情報が出力されない場合、背景カーテンの異常を検知したが、その異常は第２領域の範囲内ではないと判断できる。このため、第２領域を背景とする撮影において、背景カーテンの異常が写り込むおそれがない。これにより、写真シール作成装置は、背景を限定した撮影を行うことができる。
【００２１】
例えば、写真シール作成装置において、被写体の全身を撮影する全身撮影と顔周辺を撮影するアップ撮影とを選択許容できる場合、第１領域は全身撮影における背景となる領域であり、第２領域はアップ撮影における背景となる領域とすることができる。
【００２２】
このため、第１領域に対してエラー情報が出力され、第２領域に対してエラー情報が出力されない場合、全身撮影では背景カーテンの異常が撮影画像に写り込むが、アップ撮影では背景カーテンの異常が撮影画像に写り込むことおそれがない。
【００２３】
これにより、写真シール作成装置は、背景カーテンに異常があっても、第２領域を背景とする被写体の撮影を受け付けることができる。このため、万一、背景カーテンの異常が検知されても、写真シール作成装置の機能を限定して稼働することができる。  
従って、写真シール作成装置は、背景カーテンの異常が検知されても、背景を限定して撮影を受け付けることができる。
【００２４】
また、この発明の態様として、前記背景情報取得処理を、前記背景画像における画素毎の色情報と、該色情報に対する所定の色値範囲とを判定して、前記所定の色値範囲内の前記色情報を有する画素で形成した近似色領域を検出し、該近似色領域に基づいて前記背景情報を取得する構成とすることができる。
【００２５】
上記色情報は、ＲＢＧ値、ＣＭＹＫ値、モノクロ値、グレースケールなどとすることができる。  
上記所定の色値範囲は、正常な状態の背景カーテンの色（色相、彩度、及び明度）、または破れや汚れなどの色に相当する色情報に対する下限値、あるいは上限値のいずれか一方、あるいはその両方とすることができる。
【００２６】
この発明により、背景画像の色情報から背景画像における背景カーテンの所定の領域を検出することができる。例えば、所定の色値範囲が背景画像における背景カーテンの正常な部分の色を示す値の範囲であれば、近似色領域は、背景画像における背景カーテンの正常な領域とすることができ、背景カーテンの状態に応じてその大きさや範囲が変化する。これにより、背景画像から背景カーテンの状態に応じた背景情報を取得することができる。
【００２７】
さらに、撮影手段の不具合、あるいは照明光の照度低下などの撮影環境の変化によって、背景画像の色情報が変化するため、撮影環境の変化に対しても近似色領域の大きさや範囲が変化する。これにより、背景画像から背景カーテンの状態だけでなく、撮影環境の状態も背景情報として取得することができる。このため、背景カーテンの状態に異常がなければ、撮影手段などに不具合が生じていると早期に判別することができる。  
従って、写真シール作成装置は、背景画像から近似色領域を検出することで、背景カーテンの状態に応じた背景情報を取得することができる。
【００２８】
また、この発明の態様として、前記背景情報取得処理を、前記背景画像における前記近似色領域が占める割合を前記背景情報として取得する構成とすることができる。  
上記近似色領域が占める割合は、近似色領域ごとの割合、あるいは近似色領域全体の割合とすることができる。
【００２９】
この発明により、背景カーテンの状態を背景画像における近似色領域が占める割合で検知することができる。  
具体的には、背景カーテンの状態が正常であれば、背景画像における近似色領域が占める割合は、撮影機会に関わらずほぼ一定となる。これに対して、背景カーテンに破れや汚れ、展開不良などが生じると背景画像における近似色領域が占める割合が変化する。
【００３０】
つまり、正常な状態の背景カーテンを撮影した背景画像における近似色領域が占める割合に対して、背景カーテンの状態に異常があれば、背景画像における近似色領域が占める割合が大きく、あるいは小さくなる。これにより、背景カーテンの状態を容易に検知することができる。  
従って、写真シール作成装置は、背景画像における近似色領域が占める割合を背景情報として取得することで、背景カーテンの状態を容易に検知することができる。
【００３１】
また、この発明の態様として、前記背景情報取得処理を、前記近似色領域を除く前記背景画像の領域を非近似色領域とし、該非近似色領域の大きさを前記背景情報として取得する構成とすることができる。
【００３２】
この発明により、背景カーテンの状態を背景画像における非近似色領域の大きさで検知することができる。  
具体的には、背景カーテンの状態が正常であれば、背景画像における非近似色領域の大きさは、撮影機会に関わらずほぼ一定となる。これに対して、背景カーテンに破れや汚れ、展開不良などが生じた場合、背景画像における非近似色領域の大きさが変化する。
【００３３】
つまり、正常な状態の背景画像における非近似色領域の大きさに対して、背景カーテンの状態に異常があれば、背景画像における非近似色領域の大きさが大きく、あるいは小さくなる。これにより、背景カーテンの状態を容易に検知することができる。
【００３４】
さらに、非近似色領域の大きさに基づいて判定することにより、写真シールの見栄えに影響がない軽微な破れや汚れ、付着した小さな異物、あるいは微小な展開不良などを背景カーテンの異常として検知することを防止できる。  
従って、写真シール作成装置は、背景画像における非近似色領域の大きさを背景情報として取得することで、背景カーテンの状態を容易に検知することができる。
【００３５】
また、この発明の態様として、前記背景情報取得処理を、前記背景画像における画素毎の色情報と、該色情報に対する所定の色値範囲とを判定し、前記所定の色値範囲内の前記色情報を有する画素で形成した近似色領域、及び該近似色領域を除く前記背景画像の領域を示す非近似色領域を検出して、前記背景画像における所定の直線方向に走査して検出した前記近似色領域と前記非近似色領域との境界を示す境界位置情報を前記背景情報として取得する構成とすることができる。
【００３６】
上記所定の直線方向は、背景画像における縦方向、横方向、もしくは対角と略平行な斜め方向のいずれか１つ、いずれか２つの方向、あるいは全てとすることができる。  
上記境界位置情報は、端辺からの画素数や距離、もしくは仮想座標における座標点などとすることができる。
【００３７】
この発明により、背景カーテンの状態を背景画像における近似色領域と非近似色領域との境界位置情報で検知することができる。  
具体的には、背景カーテンの状態が正常であれば、背景画像における近似色領域と非近似色領域の大きさや範囲は、撮影機会に関わらずほぼ一定となる。これに対して、背景カーテンに破れや汚れ、展開不良などが生じた場合、背景画像における近似色領域と非近似色領域の大きさや範囲が変化する。つまり、正常な状態の背景画像における近似色領域と非近似色領域の境界を示す境界位置情報に対して、背景カーテンの状態に異常があれば、背景画像における境界位置情報の値が変化する。
【００３８】
このため、背景画像における近似色領域と非近似色領域との境界位置情報を背景情報として取得することで、背景画像から背景カーテンの状態を容易に検知することができる。  
従って、写真シール作成装置は、背景画像における近似色領域と非近似色領域との境界位置情報から背景カーテンの状態を検知することができる。
【００３９】
また、この発明の態様として、前記エラー情報が出力されると、前記撮影手段による前記被写体の撮影の受け付けを停止して報知する報知手段を備えることができる。  
上記報知手段は、スピーカ、ランプ、モニタ、あるいはネットワークを介して外部に通知する通信装置などとすることができる。
【００４０】
この発明により、背景カーテンの異常を検知した場合、写真シール作成装置は、店員などに対して背景カーテンに異常があることを確実に通知することができる。さらに、エラー情報が出力されると、撮影を受け付けずに報知するため、背景カーテンの交換や点検等の適切な処置が行われずに放置されることを防止できる。
【００４１】
加えて、エラー情報が出力されると被写体の撮影を受け付けないため、背景カーテンの異常に気がつかずに写真シールを作成した利用者が不快な思いをすることを防止できる。  
従って、写真シール作成装置は、背景カーテンの異常が放置されることを防止して、利用者の満足度の向上を図ることができる。
【００４２】
また、この発明の態様として、前記背景判定手段を、電源を投入するごとに、前記背景画像作成処理、前記背景情報取得処理、及び前記判定処理を順に実行する構成とすることができる。
【００４３】
この発明により、例えば、写真シール作成装置を設置する店舗において、毎日の営業開始前に背景カーテンの点検を自動的に行うことができる。これにより、店員が写真シール作成装置を１台１台確認する手間を軽減することができる。特に、複数枚の背景カーテンを切り替えて展開する写真シール作成装置において、複数の背景カーテンを自動的に点検することができるため、店員の手間を大幅に軽減することができる。
【００４４】
さらに、背景カーテンの異常を早期、かつ確実に検出することができるため、設置店舗側は、背景カーテンの清掃や点検、あるいは修理依頼など、適切な対応を早期に行うことができ、写真シール作成装置を効率よく運用することができる。  
従って、写真シール作成装置は、店員による点検の手間を軽減するとともに、背景カーテンの異常を早期に検知することができる。
【００４５】
また、この発明の態様として、前記撮影手段で前記被写体不在の前記撮影空間を予め撮影して作成した初期背景画像における背景情報を初期背景情報として記憶する記憶手段を備え、前記所定の値を、前記初期背景情報からの許容値に基づいて構成することができる。  
上記初期背景画像は、店舗に設置した際に撮影した背景画像、あるいは背景カーテンや撮影手段の交換などを行ったあとにおける正常な状態を撮影した背景画像などとすることができる。
【００４６】
上記許容値は、初期背景情報と背景情報との差の限界値であって、正の定数、あるいは負の定数のいずれか一方、もしくはその両方とすることができる。
【００４７】
この発明により、写真シール作成装置の種類や構造、設置場所、あるいは背景カーテンの種類に応じた所定の値を設定することを不要にできる。さらに、写真シール作成装置や背景カーテンの固体差によって、正常な状態の背景カーテンを異常と誤判定することを防止できる。
【００４８】
さらに、初期背景画像に基づく所定の値と背景画像から取得した背景情報とを比較する、換言すると、初期背景画像と背景画像とを相対比較するため、背景カーテンに異常がない場合、撮影手段の経年劣化などの不具合を疑うことができる。これにより、背景カーテンの異常だけでなく、撮影手段などの不具合も早期に検知することができ、適切な対応を行うことで常に見栄えの良い写真シールを出力することができる。
【００４９】
従って、写真シール作成装置は、初期背景画像に基づく所定の値と背景情報とを比較判定することで、背景カーテンの状態を検知するだけでなく、撮影手段などの不具合も検知することができる。
【発明の効果】
【００５０】
この発明により、背景カーテンの状態を検知して、見栄えの良い写真シールを出力できる写真シール作成装置、及び写真シール作成方法を提供することができる。
【図面の簡単な説明】
【００５１】
【図１】写真シール作成装置における上方からの外観を示す外観斜視図。
【図２】前部ユニットにおける利用者と対面する面の構成を示す前部ユニット正面図。
【図３】撮影空間内における側面からの構成を示す撮影ユニット側面図。
【図４】編集ユニットにおける正面構成を示す編集ユニット正面図。
【図５】編集ユニットにおける側面構成を示す編集ユニット側面図。
【図６】写真シール作成装置における利用者の移動空間を説明する説明図。
【図７】写真シール作成装置における内部構成を示すブロック図。
【図８】写真シール作成ゲーム処理の動作を示すフローチャート。
【図９】待機状態に表示する画面を示す待機画面。
【図１０】起動時処理の動作を示すフローチャート。
【図１１】撮影環境の確認を開始する画面を示す撮影環境確認開始画面。
【図１２】背景カーテン点検処理の動作を示すフローチャート。
【図１３】背景空間の撮影を開始する画面を示す撮影開始画面。
【図１４】正常な状態の背景カーテンを撮影した正常背景画像と正常マスク画像とを説明する説明図。
【図１５】異常のある状態の背景カーテンを撮影した異常背景画像と異常マスク画像とを説明する説明図。
【図１６】背景空間の状態を確認している画面を示す背景空間確認中画面。
【図１７】実施例１における色の閾値、及び閾値を説明する説明図。
【図１８】写真シール作成ゲーム処理への移行を通知する画面を示すゲーム処理移行画面。
【図１９】背景空間の異常を検知したことを通知する画面を示す異常通知画面。
【図２０】問合せ先を表示した画面を示す問合せ画面。
【図２１】実施例２における背景カーテン点検処理の動作を示すフローチャート。
【図２２】実施例２における色の閾値、及び閾値を説明する説明図。
【図２３】実施例２における異常背景画像、及び近似色領域と非近似色領域を説明する説明図。
【図２４】実施例３における背景カーテン点検処理の動作を示すフローチャート。
【図２５】実施例３における閾値を説明する説明図。
【図２６】実施例３におけるカメラの画角を確認・調整する画面を示す画角調整画面。
【図２７】メンテナンスモードにおける背景画像を確認する画面を示す背景画像確認画面。
【発明を実施するための形態】
【００５２】
この発明の一実施形態を以下図面と共に説明する。  
【実施例１】
【００５３】
まず、本実施形態に用いる写真シール作成装置１について図１から図６を用いて説明する。  
なお、図１は写真シール作成装置１における上方からの外観斜視図を示し、図２は前部ユニット１１０における利用者と対面する前部ユニット正面図を示し、図３は撮影空間Ｓａ内における側面視からの撮影空間側面図を示し、図４は編集ユニット２００における正面視からの編集ユニット正面図を示し、図５は編集ユニット２００における側面視からの編集ユニット側面図を示し、図６は写真シール作成装置１における利用者の移動空間を説明する説明図を示している。  
また、図１において、図中の右方向を写真シール作成装置１の前方とし、図中の左方向を写真シール作成装置１の後方とする。
【００５４】
写真シール作成装置１は、図１に示すように、筐体２に撮影ユニット１００、及び編集ユニット２００を組み付けて構成している。  
撮影ユニット１００は、利用者が硬貨を投入して実際に撮影する、所謂、撮影ブースである。そして、撮影ユニット１００は、利用者と対面する前部ユニット１１０、前部ユニット１１０に対して前後方向に所定の間隔を介して配置した後部ユニット１２０、前部ユニット１１０と後部ユニット１２０との前後方向略中央において上部に配置した天井ストロボユニット１３０、及び後部ユニット１２０の上部に配置した背景カーテンユニット１４０とで構成している。
【００５５】
さらに、この前部ユニット１１０、後部ユニット１２０、天井ストロボユニット１３０、及び背景カーテンユニット１４０で囲まれた空間を撮影空間Ｓａとして構成している。  
前部ユニット１１０は、写真シール作成装置１の略中央に配置して、利用者が対面して撮影を行う機能を有するユニットである。
【００５６】
この前部ユニット１１０の利用者と対面する面は、図２に示すように、略中央にカメラ１１１、タッチパネルモニタ１１２、及びカメラ上部ストロボ１１３を配置し、その周囲に傘状ストロボ１１４（１１４ａ〜１１４ｃ）を配置するとともに、タッチパネルモニタの下方に箱状ストロボ１１５（１１５ａ、１１５ｂ）を配置して構成している。
【００５７】
さらに、前部ユニット１１０の箱状ストロボ１１５の両サイドに利用者の荷物を一時的に置く荷物置き場１１６を配置して構成している。なお、向かって右側の荷物置き場１１６の下部には、利用者が投入する硬貨の受け付け及び返却の機能を有する硬貨投入返却口１１７、及び撮影にかかる音声案内を出力するスピーカ１１８を備えている。
【００５８】
カメラ１１１は、撮影空間Ｓａ（後部ユニット１２０）に向けて配置して、撮影空間Ｓａで前部ユニット１１０と対面する利用者を撮影する機能を有している。  
タッチパネルモニタ１１２は、カメラ１１１の下部に配置して、カメラ１１１で撮影する利用者の映像を表示する機能、利用者の各種操作を受け付ける機能、及び後述する異常通知画面や画角調整画面などの異常の通知や各種設定画面を表示する機能を有している。  
カメラ上部ストロボ１１３は、カメラ１１１の上部に配置して、撮影のタイミングに合わせて発光する機能を有している。
【００５９】
傘状ストロボ１１４は、撮影空間Ｓａに向けてカメラ１１１の左右両側に配置した中段傘状ストロボ１１４ａ、及び１１４ｂと、撮影空間Ｓａに向けてカメラ１１１の上方に配置した上段傘状ストロボ１１４ｃとで構成し、撮影のタイミングに合わせて発光する機能を有している。
【００６０】
箱状ストロボ１１５は、タッチパネルモニタ１１２の下部から後方斜め下方に傾斜するとともに、光源の光を透過する傾斜ストロボ面１１５ａと、傾斜ストロボ面１１５ａの先端から垂設するとともに、光源の光を透過する足元ストロボ面１１５ｂとを有する略箱状に形成している。そして、箱状ストロボ１１５は、撮影タイミングにあわせて発光し、発光した光が傾斜ストロボ面１１５ａを介して利用者を下方から照らし、足元ストロボ面１１５ｂを介して利用者の足元を照らす機能を有している。
【００６１】
なお、箱状ストロボ１１５の傾斜ストロボ面１１５ａがタッチパネルモニタ１１２の直下にあるので、利用者は、カメラ１１１を覗き込むようにして撮影することが難しく、カメラ１１１に対して適度に離れて撮影することとなる。これにより、カメラ上部ストロボ１１３、傘状ストロボ１１４、及び箱状ストロボ１１５の照明範囲外で、利用者が撮影することを防止でき、利用者がアップで撮影する場合において、利用者の顔が照明されず明るさの暗い撮影画像になることを防止できる。
【００６２】
また、後部ユニット１２０は、図３に示すように、前部ユニット１１０に対面するとともに、撮影空間Ｓａを挟んで写真シール作成装置１の後部に配置している。この後部ユニット１２０は、利用者Ｍが実際に撮影する際の背景としての機能を有するユニットである。
【００６３】
天井ストロボユニット１３０は、図３に示すように、筐体の上部において前後方向略中央に載置された基板部１３１、基板部１３１を下方から覆うカバー部１３２、及び基板部１３１とカバー部１３２とで形成される空間内において基板部１３１に配置した照明灯１３３並びにストロボ部１３４で構成し、撮影空間Ｓａを照明する機能と、撮影タイミングに合わせて発光する機能とを有している。
【００６４】
背景カーテンユニット１４０は、図３に示すように、後部ユニット１２０における撮影空間Ｓａ側の壁面Ｗと利用者Ｍとの間において、モータ駆動（図示省略）によって昇降するロール状の背景カーテン１４１を内部に収容している。この背景カーテン１４１は、単一色のカーテンであって、撮影空間Ｓａの床面Ｆに布設可能な長さを有しており、クロマキー合成による合成画像を撮影する際の背景として機能する。
【００６５】
また、編集ユニット２００は、図１に示すように、前部ユニット１１０の前方に隣接して配置して、利用者が撮影した画像に対してフレーム画像やスタンプ画像、文字入力による落書きなどの編集作業を行う機能と、デモ画面等を表示する機能を有している。
【００６６】
具体的には、編集ユニット２００は、図４から図６に示すように、利用者が写真シール作成装置１の右側から入場して編集作業を行う第１編集部２００ａと、利用者が写真シール作成装置１の左側から入場して編集作業を行う第２編集部２００ｂとが、左右方向で互いに異なる方向に向けて配置した構成となっている。すなわち、編集ユニット２００は、２組の利用者が同時に撮影画像に対して落書きなどの編集作業を行うことができる構成となっている。
【００６７】
さらに、編集ユニット２００は、図６に示すように、第１編集部２００ａの正面において利用者が操作して編集作業ができる編集空間Ｓｂが形成され、第２編集部２００ｂの正面において利用者が操作して編集作業ができる編集空間Ｓｃが形成される大きさに構成している。
【００６８】
この第１編集部２００ａと第２編集部２００ｂは、互いに異なる方向に向けて配置している点を除けば、同一の構成であることから、ここでは第１編集部２００ａについて詳述し、第２編集部２００ｂの詳しい説明は省略する。  
なお、編集ユニット２００の構成要素のうち、第１編集部２００ａの構成要素の符号を「ａ」とし、第２編集部２００ｂの構成要素の符号を「ｂ」として識別する。
【００６９】
この第１編集部２００ａは、図４に示すように、上部照明装置２０１、及び編集部２０２で構成している。  
上部照明装置２０１は、利用者が編集部２０２で編集作業を行う際の手元を照らす機能を有し、第１編集部２００ａの上部に設置している。
【００７０】
編集部２０２は、撮影した画像を表示する機能と、利用者が落書きなどの編集作業を受け付ける機能とを有するタブレット内蔵モニタ２０３と、操作案内などの音声を出力するスピーカ２０４と、編集作業に用いる１対のタッチペン２０５とで構成している。
【００７１】
また、編集ユニット２００の編集部２０２を正面として向かって右側面には、図５に示すように、写真シール排出口２０６、及び事後接客ユニット２１０を備えている。  
写真シール排出口２０６は、利用者が第１編集部２００ａあるいは第２編集部２００ｂで編集した撮影画像を印刷したシール紙３３３を排出する機能を有し、編集ユニット２００側面の下方に設置している。なお、写真シール排出口２０６の内部には、後述するプリンタ３３１とシール紙ユニット３３２とを内蔵している。
【００７２】
事後接客ユニット２１０は、編集ユニット２００の右側面上部に配置し、タッチパネルモニタ２１１、及びスピーカ２１２で構成している。  
タッチパネルモニタ２１１は、シール紙３３３の排出を待つ利用者に対して広告を表示する、任意のメールアドレスに送信する撮影画像や編集画像を選択許容するとともに、メールアドレスを入力許容する画像送信画面（図示省略）を表示する、あるいはタッチ操作によるゲームなどを表示する機能を有している。  
スピーカ２１２は、シール紙３３３の排出を利用者に知らせる、あるいはタッチパネルモニタ２１１の表示される画面に対応した音声を出力する機能を有している。
【００７３】
次に、上述した写真シール作成装置１の内部構成について図７を用いて説明する。  
なお、図７は写真シール作成装置１における内部構成のブロック図を示し、すでに上述した構成要素と同じ構成要素については、同じ符号を付しているので、その詳しい説明は省略する。
【００７４】
写真シール作成装置１の内部構成は、図７に示すように、制御装置３０１、記憶部３０２、通信部３０３、ドライブ３０４、ＲＯＭ３０６、ＲＡＭ３０７、撮影部３１０、編集部３２０、及び事後接客部３３０で構成している。  
制御装置３０１は、各部の動作の制御、プログラムの実行処理、撮影画像と背景用画像とをクロマキー合成して合成画像を取得する背景合成処理、及び撮影画像と前景用画像とを合成して合成画像を取得する前景合成処理などを行う機能を有している。
【００７５】
記憶部３０２は、ハードディスクなどの記憶装置で構成している。この記憶部３０２は、編集処理に使用する編集ツールのデータ、照明設定データ、撮影コースのデータ、背景用画像や前景用画像などの画像データ、事後接客処理のデータ、およびプレイ時間設定データなどの各種データを記憶しており、制御装置３０１による設定情報の読み込みおよび保存を許容する。
【００７６】
通信部３０３は、インターネットなどの通信網を介してサーバ等の適宜の装置と通信するＬＡＮカード等の通信装置で構成している。この通信部３０３は、制御装置３０１の制御信号に従って、撮影画像や編集画像をサーバのデータベースに登録する、あるいは利用者のメールアドレスへ撮影画像や編集画像を送信するといった動作を行う。
【００７７】
ドライブ３０４は、携帯型の不揮発性メモリやＵＳＢメモリといったリムーバブルメディア３０５に対してデータの読み書きを行うドライブ装置で構成している。このドライブ３０４は、制御装置３０１の制御信号に従って、撮影画像や編集画像を利用者の所有するリムーバブルメディア３０５に書き込み、またリムーバブルメディア３０５に記憶している撮影画像や編集画像、あるいは編集用アイテムといったデータを読取る。
【００７８】
ＲＯＭ３０６は、写真シール作成装置１で実行するゲームのプログラムやメンテナンス用のプログラムなど、各種プログラムやデータを記憶している。ゲームのプログラムには、撮影コースに応じて照明設定や編集ツールを切り替えるプログラムや事後接客のプログラムが含まれている。  
ＲＡＭ３０７は、制御装置３０１によって一時記憶領域として使用される。
【００７９】
また、撮影部３１０は、撮影ユニット１００の機能ブロックであり、硬貨処理部３１１、背景制御部３１２、照明装置３１３、カメラ１１１、タッチパネルモニタ１１２、及びスピーカ１１８で構成し、それぞれ所定のバスを介して制御装置３０１と接続している。
【００８０】
硬貨処理部３１１は、制御装置３０１の指示により硬貨の投入を受け付ける処理と、硬貨投入返却口１１７で受け付けた硬貨の種類、枚数を識別して、識別結果を制御装置３０１に送信する処理を行う。  
背景制御部３１２は、制御装置３０１から受信した背景制御信号に従って背景カーテンユニット１４０を制御し、背景カーテン１４１を昇降させて背景色を制御する。
【００８１】
照明装置３１３は、制御装置３０１から受信した照明制御信号に従い、カメラ上部ストロボ１１３、傘状ストロボ１１４、箱状ストロボ１１５、及び天井ストロボユニット１３０を撮影タイミングにあわせて発光して撮影空間Ｓａ内を照明する。  
タッチパネルモニタ１１２のライブビューモニタ１１２ａは、カメラ１１１で撮影する利用者をリアルタイム表示する機能を有している。
【００８２】
また、編集部３２０は、第１編集部２００ａの機能ブロックである第１編集部３２０ａと、第２編集部２００ｂの機能ブロックである第２編集部３２０ｂとで構成している。なお、第１編集部３２０ａと第２編集部３２０ｂとは同一の構成であり、ここでは第１編集部３２０ａを用いて詳述する。  
第１編集部３２０ａは、タブレット内蔵モニタ２０３、１対のタッチペン２０５、及びスピーカ２０４で構成し、それぞれ所定のバスを介して制御装置３０１と接続している。
【００８３】
タブレット内蔵モニタ２０３は、編集用モニタ３２３ａと、タブレット３２３ｂとで構成している。  
編集用モニタ３２３ａは、制御装置３０１の指示により、撮影画像やデモ画面及び広告などを表示する。  
タブレット３２３ｂは、利用者がタッチペン２０５を用いてタブレット内蔵モニタ２０３をタップすると、タッチペン２０５がタップした位置情報を取得して、制御装置３０１に位置情報を送信する。
【００８４】
また、事後接客部３３０は、編集ユニット２００で編集した編集画像をシール紙３３３に印刷するプリンタ３３１、事後接客ユニット２１０の機能ブロックであるタッチパネルモニタ２１１、及びスピーカ２１２で構成している。  
プリンタ３３１は、制御装置３０１から受信する印刷データを、シール紙ユニット３３２に備えられているシール紙３３３に印刷する、及び印刷したシール紙３３３を写真シール排出口２０６に排出する。
【００８５】
タッチパネルモニタ２１１の事後接客用モニタ２１１ａは、制御装置３０１の指示により、デモ画面、広告画面、タッチパネルを利用したゲーム画面、及び後述するエラーメッセージ画面などを表示する。さらに、タッチパネルモニタ２１１は、利用者がモニタ上をタップした位置情報を取得して制御装置３０１に位置情報を送信する。
【００８６】
次に、写真シール作成装置１における写真シール作成ゲーム処理の動作について図８、及び図９を用いて説明する。  
なお、図８は写真シール作成装置１の制御装置３０１が実行する写真シール作成ゲーム処理の動作のフローチャートを示し、図９は待機状態に表示する待機画面１０を示している。
【００８７】
まず、写真シール作成装置１の制御装置３０１が、図８に示すように、写真シール作成ゲーム処理を開始すると、制御装置３０１の指示により、撮影ユニット１００のタッチパネルモニタ１１２は、図９に示すような待機画面１０を表示する（ステップＳ４０１）。  
この待機画面１０には、図９に示すように、「コインを投入してね！コインを投入するとゲームが始められるよ！」という案内メッセージを表示している。
【００８８】
そして、写真シール作成装置１は、硬貨投入返却口１１７に硬貨が投入されたか否かを判定する（ステップＳ４０２）。硬貨投入返却口１１７に硬貨が投入されなければ（ステップＳ４０２：Ｎｏ）、制御装置３０１は、処理をステップＳ４０１に戻して硬貨が投入されるまで待機する。  
一方、硬貨投入返却口１１７にゲーム料金分の硬貨が投入されると（ステップＳ４０２：Ｙｅｓ）、制御装置３０１は、撮影処理を実行する（ステップＳ４０３）。
【００８９】
この撮影処理の際、制御装置３０１は、カメラ１１１で取得している動画映像をライブビューモニタ１１２ａにリアルタイム表示して利用者にポーズをとらせる。また、制御装置３０１は、利用者に選択させた撮影コースに応じて、背景用画像や前景用画像などの合成用画像と撮影中の動画映像を合成した合成動画像をライブビューモニタ１１２ａに表示する。これにより、利用者は、仕上がりイメージを確認しながらポーズを取ることができる。
【００９０】
なお、合成用画像に関して、制御装置３０１は、撮影コースに合った合成用画像を用いるか、撮影開始前に複数種類の合成用画像を選択可能にタッチパネルモニタ１１２に表示して利用者に選択させる。
【００９１】
制御装置３０１は、タッチパネルモニタ１１２の表示とスピーカ１１８による音声でカウントダウンを行い、このカウントダウンの終了タイミングで照明装置３１３に照明制御信号を送信すると共にカメラ１１１にシャッタ信号を送信する。これにより、照明装置３１３の各ストロボから閃光を照射し、照明された利用者が背景とともに写っている撮影画像をカメラ１１１により取得する。  
なお、撮影処理を複数回繰り返して複数枚の撮影画像を取得する構成にすることが好ましい。
【００９２】
また、制御装置３０１は、取得した撮影画像から背景板や背景カーテン１４１などのクロマキーシートが写っている部分を切り落として利用者部分を取出し、この利用者部分の画像を選択された背景用画像の上に重ねるクロマキー合成を行って合成画像を作成する。このようなクロマキー合成を行うことで、撮影時のポーズにあった合成画像を作成することができる。
【００９３】
撮影終了後、制御装置３０１は、編集空間Ｓｂ、あるいはＳｃ（図６参照）への移動案内処理を実行する（ステップＳ４０４）。詳述すると、制御装置３０１は、利用者に対して編集ユニット２００の前にある編集空間Ｓｂ、あるいはＳｃのいずれか一方への移動を促す案内画面をタッチパネルモニタ１１２に表示するとともに、音声による移動案内をスピーカ１１８に出力する。
【００９４】
そして、制御装置３０１は、利用者による撮影画像、あるいは合成画像の編集を許容する編集処理を実行する（ステップＳ４０５）。詳述すると、制御装置３０１は、撮影画像、あるいはステップＳ４０３で作成した合成画像を、タブレット内蔵モニタ２０３に表示し、撮影画像、あるいは合成画像に対して利用者がタッチペン２０５でアイコン画像や線画像などを描くことを許容し、編集画像を作成する。
【００９５】
その後、制御装置３０１は、事後接客空間Ｓｄ（図６参照）への移動案内処理を実行する（ステップＳ４０６）。詳述すると、制御装置３０１は、利用者に対して写真シール排出口２０６の前の事後接客空間Ｓｄへの移動を促す案内画面をタブレット内蔵モニタ２０３に表示するとともに、音声による移動案内をスピーカ２０４に出力する。
【００９６】
さらに、制御装置３０１は、撮影画像、合成画像、あるいは編集画像に基づく印刷用画像をシール紙３３３に印刷する印刷処理を実行する（ステップＳ４０７）。詳述すると、制御装置３０１は、タブレット内蔵モニタ２０３で利用者に印刷レイアウトを選択させ、利用者に選択させた撮影画像、合成画像、あるいは編集画像を印刷レイアウトに配置して印刷用画像を作成し、この印刷用画像をシール紙３３３に印刷する。
【００９７】
そして、制御装置３０１は、シール紙３３３の排出を待つ利用者に対して、事後接客処理を実行する（ステップＳ４０８）。詳述すると、制御装置３０１は、デモ画面、広告画面、あるいは撮影画像または編集画像を任意の携帯端末に送信する処理、アンケート入力、ミニゲームなど、適宜の接客処理を実行して、タッチパネルモニタ２１１に表示する。
【００９８】
事後接客処理が終了すると、制御装置３０１は、シール紙３３３の排出処理を実行し（ステップＳ４０９）、印刷完了したシール紙３３３を写真シール排出口２０６から排出し、利用者に写真シールとして提供してゲームを終了する。このようにして、写真シール作成装置１により利用者の写真を、写真シールとして出力することができる。
【００９９】
以上のような構成で写真シール作成ゲームを行う写真シール作成装置１において、電源投入ごとに自動的に背景カーテン１４１の点検を行う処理動作について、図１０から図２０を用いて詳しく説明する。
【０１００】
なお、図１０は起動時処理の動作のフローチャートを示し、図１１は撮影環境の確認を開始する撮影環境確認開始画面１１を示し、図１２は背景カーテン点検処理の動作のフローチャートを示し、図１３は背景空間の撮影を開始する撮影開始画面１２を示し、図１４は正常な状態の背景カーテン１４１を撮影した正常背景画像２０と正常マスク画像２１とを説明する説明図を示し、図１５は異常のある状態の背景カーテン１４１を撮影した異常背景画像３０と異常マスク画像３１とを説明する説明図を示している。
【０１０１】
また、図１６は背景空間の状態を確認している背景空間確認中画面１３を示し、図１７は実施例１における色の閾値、及び閾値を説明する説明図を示し、図１８は写真シール作成ゲーム処理への移行を通知するゲーム処理移行画面１４を示し、図１９は背景空間の異常を検知したことを通知する異常通知画面１５を示し、図２０は問合せ先を表示した問合せ画面１６を示している。
【０１０２】
まず、写真シール作成装置１の電源を投入すると、図１０に示すように、写真シール作成装置１の制御装置３０１は、起動時処理を実行する。  
起動時開始処理を実行すると、制御装置３０１の背景制御信号により、背景制御部３１２は、モータを駆動して背景カーテン１４１を下げて展開する（ステップＳ５０１）。この際、制御装置３０１の指示により、タッチパネルモニタ１１２は、図１１に示す撮影環境確認開始画面１１を表示する。
【０１０３】
この撮影環境確認開始画面１１には、図１１に示すように、「筐体起動時の状態確認中です。撮影環境の状態確認を行います。背景空間の撮影を行いますので、人や物がカメラに写らないようにして下さい。」という案内メッセージを表示している。
【０１０４】
撮影環境確認開始画面１１を表示すると、制御装置３０１は、背景カーテン点検処理を実行する（ステップＳ５０２）。  
詳述すると、制御装置３０１は、図１２に示すように、利用者不在の撮影空間Ｓａ、すなわち背景となる背景空間を被写体としてカメラ１１１で撮影する背景空間の撮影処理を実行する（ステップＳ６０１）。この際、制御装置３０１の指示により、タッチパネルモニタ１１２は、図１３に示す撮影開始画面１２を表示する。
【０１０５】
この撮影開始画面１２には、図１３に示すように、「背景空間を撮影します。カメラに写らないようにして下さい。」という案内メッセージと、その下にカメラ１１１が取得している動画映像をリアルタイム表示する撮像枠１２ａと、撮像枠１２ａの右上に撮影するまでの時間をカウントダウンで表示する時間表示枠１２ｂとを表示している。
【０１０６】
カウントダウンが終了すると、制御装置３０１からのシャッタ信号により、カメラ１１１は、利用者不在の撮影空間Ｓａを撮影して背景画像を取得する。  
なお、本実施例では、背景画像の例として、図１４（ａ）に示す正常背景画像２０、及び図１５（ａ）に示す異常背景画像３０を用いて説明する。
【０１０７】
正常背景画像２０は、図１４（ａ）に示すように、破れや汚れのない背景カーテン１４１が撮影空間Ｓａの床面Ｆまで正常に展開された状態を撮影している。なお、正常背景画像２０には、下端に床面Ｆと、下端両隅にストロボ光が届かず照明不足となった影部分２０ａとが写り込んでいる。
【０１０８】
異常背景画像３０は、図１５（ａ）に示すように、破れや汚れのない背景カーテン１４１が床面Ｆまで下降せず、後部ユニット１２０の壁面Ｗが露出した状態を撮影している。なお、異常背景画像３０における下端両隅には、正常背景画像２０と同様に照明不足となった影部分３０ａが写り込んでいる。
【０１０９】
背景画像を取得すると、制御装置３０１の指示により、タッチパネルモニタ１１２は、図１６に示す背景空間確認中画面１３を表示する。  
この背景空間確認中画面１３には、図１６に示すように、「背景空間の状態を確認しています。」という案内メッセージと、「背景空間が正常状態の場合は、写真シール作成ゲーム処理の続行同意画面が表示されます。」という案内メッセージと、「背景空間が異常状態の場合は、背景空間再設定画面が表示されます。」という案内メッセージとを表示している。
【０１１０】
その後、制御装置３０１は、背景画像の画素毎にＲＧＢ値を取得し、画素毎に色の閾値との比較判定を行う（ステップＳ６０２）。  
この色の閾値は、正常な状態の背景カーテン１４１の色（色相、彩度、及び明度）をＲＧＢ値に変換した値にバラツキを考慮した所定の値を加味して設定したＲＧＢ値である。
【０１１１】
具体的には、色の閾値は、図１７（ａ）に示すように、ＲＧＢ値におけるＲ値をＲｍｉｎ〜Ｒｍａｘ、Ｇ値をＧｍｉｎ〜Ｇｍａｘ、Ｂ値をＢｍｉｎ〜Ｂｍａｘの範囲に設定している。
【０１１２】
背景画像における画素毎のＲＧＢ値の各要素（Ｒ値、Ｇ値、及びＢ値）が全て色の閾値内であれば（ステップＳ６０２：Ｙｅｓ）、制御装置３０１は、その画素を透過する透過処理を行う（ステップＳ６０３）。一方、背景画像における画素毎のＲＧＢ値の各要素が１つでも色の閾値の範囲外であれば（ステップＳ６０２：Ｎｏ）、制御装置３０１は、その画素を非透過とする非透過処理を行う（ステップＳ６０４）。
【０１１３】
このようにして、制御装置３０１は、背景画像の全ての画素に対して、色の閾値との比較による透過処理、あるいは非透過処理を行う。その後、制御装置３０１は、透過した画素の一群を透過画素領域とし、非透過とした画素の一群を非透過領域として設定する。すなわち、背景画像における背景カーテン１４１は透過領域に置き換えられ、破れや汚れ、あるいは影部分などの背景画像における背景カーテン１４１以外の部分は非透過領域に置き換えられる。
【０１１４】
そして、制御装置３０１は、背景画像を透過領域と非透過領域とに置き換えた画像、所謂マスク画像を作成したのち（ステップＳ６０５）、マスク画像における透過領域が占める割合を背景情報として算出する（ステップＳ６０６）。
【０１１５】
例えば、図１４（ａ）に示した正常背景画像２０の場合、画素毎に上述の透過処理、非透過処理を行うと、図１４（ｂ）に示すように、正常背景画像２０における背景カーテン１４１を示す透過領域２２、及び正常背景画像２０における床面Ｆと影部分２０ａとを一群で示す非透過領域２３で構成される正常マスク画像２１を取得する。なお、この正常マスク画像２１における透過領域２２は、全体の８９％を占めているものとする。
【０１１６】
また、図１５（ａ）に示した異常背景画像３０の場合、画素毎に上述の透過処理、非透過処理を行うと、図１５（ｂ）に示すように、異常背景画像３０における背景カーテン１４１を示す透過領域３２、及び異常背景画像３０における床面Ｆ、壁面Ｗ、及び影部分３０ａとを一群で示す非透過領域３３で構成される異常マスク画像３１を取得する。なお、この異常マスク画像３１における透過領域３２は、全体の８３％を占めているものとする。
【０１１７】
マスク画像における透過領域が占める割合を算出すると、透過領域が占める割合と透過領域に対する閾値との比較判定を行う（ステップＳ６０７）。  
この透過領域に対する閾値は、背景カーテン１４１の状態が正常な状態における透過領域が占める割合に、バラツキを考慮した所定の値を加味して設定した値である。  
具体的には、透過領域に対する閾値は、図１７（ｂ）に示すように、マスク画像における透過領域が占める割合を８７％〜１００％に設定した値である。
【０１１８】
マスク画像における透過領域が占める割合が閾値の範囲内であれば（ステップＳ６０７：Ｎｏ）、制御装置３０１は、背景カーテン１４１の状態が正常であると判定し、背景カーテン点検処理を終了する。
【０１１９】
一方、マスク画像における透過領域が占める割合が閾値の範囲外であれば（ステップＳ６０７：Ｙｅｓ）、制御装置３０１は、背景カーテン１４１の状態が異常であると判定し、背景カーテン１４１の異常を検知したことを示すエラー情報を出力する（ステップＳ６０８）。その後、制御装置３０１は、背景カーテン点検処理を終了する。
【０１２０】
例えば、上述した正常マスク画像２１の場合、正常マスク画像２１における透過領域２２が占める割合が８９％のため、制御装置３０１は、正常背景画像２０を撮影した際の背景カーテン１４１の状態が正常であると判定する。一方、上述した異常マスク画像３１の場合、異常マスク画像３１における透過領域３２が占める割合が８３％のため、制御装置３０１は、異常背景画像３０を撮影した際の背景カーテン１４１の状態が異常であると判定し、エラー情報を出力する。
【０１２１】
背景カーテン点検処理を終了すると、図１０のステップＳ５０２に戻り、制御装置３０１は、背景カーテン点検処理においてエラー情報が出力されたか否かを判定する（ステップＳ５０３）。エラー情報の出力がなければ（ステップＳ５０３：Ｎｏ）、制御装置３０１からの背景制御信号により、背景制御部３１２は、モータを駆動して背景カーテン１４１を巻き上げて収納する。
【０１２２】
さらに、制御装置３０１は、写真シール作成ゲーム処理へ移行可能と判定し、図１８に示すゲーム処理移行画面１４を表示する。  
このゲーム処理移行画面１４には、図１８に示すように、「写真シール作成ゲーム処理を続行可能です。この後、写真シール作成ゲーム処理のデモンストレーション画面が表示されます。」という案内メッセージと、画面の右上にデモンストレーション画面に移行するまでの時間をカウントダウン表示する時間表示枠１４ａとが表示されている。
【０１２３】
カウントダウンが終了すると、制御装置３０１の指示により、タッチパネルモニタ１１２は、新規アイテムを紹介するアイテム紹介画面やゲーム操作を案内する案内画面を順に切り替えて表示したのち、図９に示した待機画面１０を表示する（ステップＳ５０４）。その後、制御装置３０１は、起動時処理を終了する。
【０１２４】
一方、エラー情報の出力があれば（ステップＳ５０３：Ｙｅｓ）、制御装置３０１は、写真シール作成ゲーム処理への移行を中止する（ステップＳ５０５）。さらに、制御装置３０１の指示により、タッチパネルモニタ１１２は、図１９に示す異常通知画面１５を表示する（ステップＳ５０６）。
【０１２５】
この異常通知画面１５には、図１９に示すように、「背景空間に異常を検知しました。背景合成に必要な背景カーテンが正常な状態か確認して下さい。」という案内メッセージを画面上部に表示し、「背景カーテンに異常があれば、背景カーテンを正常な状態に復旧後、完了ボタンを押して下さい。」という案内メッセージと、「カーテンの汚れはありませんか？」、「カーテンの破損はありませんか？」、及び「カーテンの位置ズレはありませんか？」という案内メッセージとを画面中央に表示し、この案内メッセージに対応する完了ボタン１５ａが表示されている。さらに、画面下部には、「背景カーテンが正常にも関わらずエラーが出た場合や背景カーテンを正常化できない場合は、終了ボタンを押して下さい。」という案内メッセージと、これに対応する終了ボタン１５ｂとが表示されている。
【０１２６】
また、この際、制御装置３０１は、撮影ユニット１００のスピーカ１１８、及び事後接客ユニット２１０のスピーカ２１２による音声案内と、タッチパネルモニタ２１１によるエラーメッセージ画面（図示省略）の表示によって背景カーテン１４１の異常検知を店員へ通知する。
【０１２７】
異常通知画面１５の案内メッセージに従って店員が背景カーテン１４１を確認し、背景カーテン１４１の清掃などを行ったのち完了ボタン１５ａを押下すると（ステップＳ５０７：Ｙｅｓ）、制御装置３０１の指示により、背景制御部３１２は、モータを駆動させ背景カーテン１４１を収容する。その後、制御装置３０１は、処理をステップＳ５０１に戻して再度、背景カーテン点検処理を実行する。
【０１２８】
ステップＳ５０７において、店員が完了ボタン１５ａを押下せず（ステップＳ５０７：Ｎｏ）、終了ボタン１５ｂを押下すると（ステップＳ５０８：Ｙｅｓ）、制御装置３０１の指示により、タッチパネルモニタ１１２は、図２０に示す問合せ画面１６を表示する（ステップＳ５０９）。
【０１２９】
この問合せ画面１６には、図２０に示すように、「背景空間に異常を検知しました。写真シール作成ゲーム処理が続行できません。下記に連絡して下さい。」という案内メッセージと、連絡先の電話番号とを表示している。  
その後、制御装置３０１は、起動時処理を終了する。
【０１３０】
また、ステップＳ５０８において、終了ボタン１５ｂが押下されなければ（ステップＳ５０８：Ｎｏ）、制御装置３０１は、処理をステップＳ５０７に戻し完了ボタン１５ａ、あるいは終了ボタン１５ｂのいずれかが押下されるまで待機する。
【０１３１】
以上のような動作で背景カーテン１４１の点検を実現する写真シール作成装置１、及び写真シール作成装置１の背景カーテン点検方法は、背景カーテン１４１の状態を検知して、見栄えの良い写真シールを出力することができる。
【０１３２】
具体的には、背景カーテン１４１の状態が破れや汚れがなく、かつ配置ズレなどの展開不良がない正常な状態を撮影した正常背景画像２０には、ほぼ全域において背景カーテン１４１が撮影される。一方、背景カーテン１４１の状態が破れや汚れが生じている、あるいは配置ズレなどの展開不良が生じているなどの異常がある状態を撮影した異常背景画像３０には、背景カーテン１４１の破れや汚れ、あるいは展開不良による背景カーテン１４１以外の壁面Ｗや床面Ｆが撮影される。
【０１３３】
このため、背景カーテン１４１の破れや汚れのない正常な部分を示す透過領域２２，３２とそれ以外の部分を示す非透過領域２３，３３とに背景画像を分けることができる。これにより、背景画像における透過領域が占める割合を背景情報として取得することができる。そして、背景情報に基づいて判定することで、背景カーテン１４１の状態を容易に検知することができる。
【０１３４】
さらに、背景カーテン１４１の状態を自動的に検知することができるため、店員による点検の手間を省くことができるとともに、背景カーテン１４１の異常が見落とされることがない。これにより、常に見栄えの良い写真シールを提供することができ、利用者の満足度の向上を図ることができる。  
従って、写真シール作成装置１、及び写真シール作成装置１の背景カーテン点検方法は、背景カーテン１４１の状態を検知して、見栄えの良い写真シールを出力することができる。
【０１３５】
また、背景画像における透過領域の占める割合が、透過領域に対する閾値の範囲外であれば、エラー情報を出力することにより、背景カーテン１４１の状態を一定の基準に基づいて判別することができる。これにより、背景カーテン１４１の状態が店員の判断に左右されることがなく、かつ常に利用者の撮影に適した状態に背景カーテン１４１を保つことができる。
【０１３６】
さらに、写真シールの見栄えに支障がない軽微な破れや汚れ、あるいは小さな異物を背景カーテン１４１の異常として検知することを防止できる。これにより、軽微な異常を検知して頻繁にエラー情報が出力され、背景カーテン１４１の点検や清掃頻度が上がり、写真シール作成装置１の稼働効率が低下することを防止できる。  
従って、写真シール作成装置１は、背景情報と閾値とを比較判定することで、背景カーテン１４１を利用者の撮影に適した状態に保つことができる。
【０１３７】
また、背景画像における画素毎のＲＧＢ値と、色の閾値とを比較判定して、色の閾値内のＲＧＢ値を有する画素で透過領域を形成することにより、背景画像のＲＧＢ値から背景画像における背景カーテン１４１の正常な部分を透過領域として検出することができる。ゆえに、透過領域は、背景カーテン１４１の状態に応じてその大きさや範囲が変化する。これにより、背景画像から背景カーテン１４１の状態に応じた背景情報を取得することができる。
【０１３８】
さらに、カメラ１１１の不具合、あるいは照明光の照度低下などの撮影環境の変化によって、背景画像における画素毎のＲＧＢ値が変化するため、撮影環境の変化に対しても透過領域の大きさや範囲が変化する。これにより、背景カーテン１４１の状態だけでなく、撮影環境の状態も背景情報として取得することができる。このため、背景カーテン１４１の状態に異常がなければ、カメラ１１１などに不具合が生じていると早期に判別することができる。
【０１３９】
加えて、色の閾値をＲＧＢ値の絶対値の範囲としたことにより、撮影環境の状態も背景情報として取得できるため、写真シール作成装置１の最初に設置した際の起動時処理によって、写真シール作成装置１の設置場所が写真シールの見栄えに影響するか否かを確認することができる。
【０１４０】
例えば、写真シール作成装置１を設置した際の起動時処理により、背景カーテン１４１の状態に異常が検知された場合、背景カーテン１４１の状態に問題がなければ、外光などの影響によって写真シール作成装置１を設置した場所が見栄えのよい写真シールを出力するのに適した場所でないと判定できる。
【０１４１】
従って、写真シール作成装置１は、背景画像から透過領域を検出することで、背景カーテン１４１の状態に応じた背景情報を取得することができる。
【０１４２】
また、背景画像における透過領域が占める割合を算出して閾値と比較判定することにより、背景カーテン１４１の状態を検知することができる。  
具体的には、背景カーテン１４１の状態が正常であれば、背景画像における透過領域が占める割合は、撮影機会に関わらずほぼ一定となる。これに対して、背景カーテン１４１の状態が異常のある状態であれば、背景画像における透過領域が占める割合が変化する。
【０１４３】
ゆえに、正常背景画像２０における透過領域２２が占める割合に対して、異常背景画像３０における透過領域３２が占める割合が小さくなる。これにより、背景カーテン１４１の状態を容易に検知することができる。  
従って、写真シール作成装置１は、背景画像における透過領域が占める割合を背景情報として取得することで、背景カーテン１４１の状態を容易に検知することができる。
【０１４４】
また、エラー情報が出力されると、写真シール作成ゲーム処理への移行を中止してタッチパネル１１２による異常通知画面１５の表示やスピーカ２１２による音声案内によって通知することにより、写真シール作成装置１は、店員などに対して背景カーテン１４１に異常があることを確実に通知することができる。
【０１４５】
さらに、エラー情報が出力されると、写真シール作成ゲーム処理への移行を中止して通知するため、背景カーテン１４１の交換や点検等の適切な処置が行われずに放置されることを防止できる。
【０１４６】
加えて、エラー情報が出力されると写真シール作成ゲーム処理への移行を中止するため、背景カーテン１４１の異常に気がつかずに写真シールを作成した利用者が不快な思いをすることを防止できる。  
従って、写真シール作成装置１は、背景カーテン１４１の異常が放置されることを防止して、利用者の満足度の向上を図ることができる。
【０１４７】
また、電源を投入するごとに、起動時処理を開始することにより、写真シール作成装置１を設置する店舗において、毎日の営業開始前に背景カーテン１４１の点検を自動的に行うことができる。これにより、店員が写真シール作成装置１を１台１台確認する手間を軽減することができる。
【０１４８】
さらに、背景カーテン１４１の異常を早期、かつ確実に検出することができるため、設置店舗側は、背景カーテン１４１の清掃や点検、あるいは修理依頼など、適切な対応を早期に行うことができ、写真シール作成装置１を効率よく運用することができる。  
従って、写真シール作成装置１は、店員による点検の手間を軽減するとともに、背景カーテン１４１の異常を早期に検知することができる。
【０１４９】
なお、上述の実施例における図１２のステップＳ６０２において、色の閾値をＲＧＢ値の絶対値の範囲で設定したが、これに限定せず、正常な状態の背景カーテン１４１を撮影した初期背景画像のＲＧＢ値からの許容値に基づいて色の閾値を設定してもよい。
【０１５０】
具体的には、写真シール作成装置１を設置した際、あるいはカメラ１１１や背景カーテン１４１を交換した際に、正常な状態の背景カーテン１４１を展開した利用者不在の撮影空間Ｓａを撮影して初期背景画像を取得する。この初期背景画像は、正常な状態の背景カーテン１４１を撮影したものであるから、図１４（ａ）に示す正常背景画像２０と略同一であり、図示を省略する。さらに、この初期背景画像における画素毎のＲＧＢ値を取得し、初期背景画像のＲＧＢ値として予め記憶部３０２に記憶する。
【０１５１】
そして、この初期背景画像のＲＧＢ値の各要素をそれぞれＲｆ、Ｇｆ、及びＢｆとし、所定の定数をα、β、及びγとして、色の閾値を、図１７（ｃ）に示すように、Ｒ値がＲｆ±α、Ｇ値がＧｆ±β、Ｂ値がＢｆ±γとする範囲としてもよい。つまり、上記±α、±β、及び±γは、初期背景画像のＲＧＢ値からの許容値とすることができる。
【０１５２】
これにより、写真シール作成装置１の種類や構造、設置場所、あるいは背景カーテン１４１の種類に応じた色の閾値を設定することを不要にできる。さらに、写真シール作成装置１や背景カーテン１４１の固体差を加味することができるため、透過領域をより精度よく検出することができる。
【０１５３】
さらに、背景画像における背景カーテン１４１を示す色が変化するおそれがある背景カーテン１４１、あるいはカメラ１１１の交換に対して、色の閾値を初期背景画像に基づいて容易に再設定することができる。加えて、色の異なる背景カーテンへ交換しても、色の閾値を容易に再設定することができる。  
従って、写真シール作成装置１は、初期背景画像に基づく色の閾値と背景画像のＲＧＢ値とを比較判定することで、透過領域をより精度よく検出することができる。
【０１５４】
また、図１２のステップＳ６０７において、透過領域に対する閾値をマスク画像における透過領域が占める割合の絶対値の範囲で設定したが、これに限定せず、正常な状態の背景カーテン１４１を撮影した初期背景画像に基づいて作成した初期マスク画像における透過領域が占める割合からの許容値に基づいて透過領域に対する閾値を設定してもよい。
【０１５５】
具体的には、写真シール作成装置１を設置した際、あるいはカメラ１１１や背景カーテン１４１を交換した際に取得した初期背景画像に対して図１２のステップＳ６０２からステップＳ６０５の処理を行い、初期マスク画像を作成する。この初期マスク画像は、図１４（ｂ）に示す正常マスク画像２１と略同一であり、図示を省略する。さらに、図１２のステップＳ６０６の処理を行い初期マスク画像における透過領域が占める割合を算出して予め記憶部３０２に記憶する。
【０１５６】
そして、この初期マスク画像における透過領域が占める割合をＺｆ％、所定の定数をα％として、透過領域に対する閾値を、図１７（ｄ）に示すように、Ｚｆ±α％とする範囲としてもよい。つまり、上記±α％は、初期マスク画像における透過領域が占める割合からの許容値とすることができる。
【０１５７】
これにより、写真シール作成装置１の種類や構造、設置場所、あるいは背景カーテン１４１の種類に応じた閾値を設定することを不要にできる。さらに、写真シール作成装置１や背景カーテン１４１の固体差によって、正常な状態の背景カーテン１４１を異常と誤判定することを防止できる。
【０１５８】
さらに、初期背景画像に基づく閾値と背景画像における透過領域が占める割合とを比較するため、背景カーテン１４１に異常がない場合、カメラ１１１の経年劣化などの不具合を疑うことができる。これにより、背景カーテン１４１の異常だけでなく、カメラ１１１などの不具合も早期に検知することができ、適切な対応を行うことで常に見栄えの良い写真シールを出力することができる。
【０１５９】
従って、写真シール作成装置１は、初期背景画像に基づく閾値と背景画像における透過領域が占める割合とを比較判定することで、背景カーテン１４１の状態を検知するだけでなく、カメラ１１１などの不具合も検知することができる。
【０１６０】
また、背景画像（マスク画像）の全域に対して閾値との比較判定を行ったが、これに限定せず、背景画像（マスク画像）の全域を示す第１領域と、背景画像（マスク画像）の所定の範囲を示す第２領域とを予め設定し、第１領域、及び第２領域と閾値とを比較判定し、第１領域に対してエラー情報が出力され、かつ第２領域に対してエラー情報が出力されなければ、第２領域を背景とする撮影だけを受け付けるようにしてもよい。
【０１６１】
具体的には、利用者の顔から足までの全身を撮影する全身撮影コースと、利用者の顔周辺を撮影するアップ撮影コースとを利用者が選択して撮影可能な写真シール作成装置１において、図１５（ｂ）に示す異常マスク画像３１を取得したとする。
【０１６２】
ここで、異常マスク画像３１において、全身撮影コースにおける背景となる異常マスク画像３１の全域を第１領域３４とし、アップ撮影コースにおける背景となる異常マスク画像３１の範囲を第２領域３５とする。
【０１６３】
制御装置３０１は、図１２のステップＳ６０６において、第１領域３４における透過領域が占める割合と、第２領域３５における透過領域が占める割合とを算出し、ステップＳ６０７においてそれぞれ閾値との比較判定を行う。この際、制御装置３０１は、第１領域３４、及び第２領域３５のそれぞれに対する判定結果に基づいてエラー情報を出力する。
【０１６４】
そして、図１０のステップＳ５０３において、制御装置３０１は、第１領域３４、及び第２領域３５に対してエラー情報が出力されなければ、背景カーテン１４１が正常な状態である判定する。一方、第１領域３４に対してエラー情報が出力され、かつ第２領域３５に対してエラー情報が出力されない場合、制御装置３０１は、第２領域３５を背景とするアップ撮影コースに限定して利用者の利用を受け付けてもよい。
【０１６５】
これにより、第１領域３４を背景とする全身撮影コースでは背景カーテン１４１の異常（非透過領域３３）が写り込むが、第２領域３５を背景とするアップ撮影コースでは、背景カーテン１４１の異常が写り込まないため、写真シール作成装置１は、アップ撮影コースだけに限定して利用者の利用を受け付けることができる。
【０１６６】
この際、第１領域３４、及び第２領域３５における透過領域が占める割合に対する閾値は、第１領域３４と第２領域３５とで共通、あるいは第１領域３４と第２領域３５とで別々に設定してもよい。例えば、図１７（ｅ）に示すように、第１領域３４に対する閾値を８７％〜１００％とし、及び第２領域３５に対する閾値を９５％〜１００％としてもよい。
【０１６７】
また、マスク画像における透過領域が占める割合を算出したが、これに限定せず、マスク画像における非透過領域が占める割合を算出してもよい。この際、非透過領域に対する閾値は、背景カーテン１４１の破れや汚れを示す値と、背景カーテン１４１の展開不良を示す値とを設定してもよい。
【０１６８】
そして、マスク画像における非透過領域が占める割合が２つの閾値のいずれも範囲外であれば、背景カーテン１４１の状態が異常であると判定できる。一方、マスク画像における非透過領域が占める割合が、いずれか一方の閾値の範囲内であれば、利用者の撮影に支障が軽微な異常であると判定することができる。
【０１６９】
これにより、背景カーテン１４１の異常をより詳細に検知することができ、かつ背景カーテン１４１の破れや汚れの大きさによって写真シール作成ゲーム処理への移行を決定することができる。  
また、背景画像における画素毎のＲＧＢ値と色の閾値とを比較判定し透過処理、あるいは非透過処理を行ったが、これに限定せず、画素毎のＲＧＢ値を置き換えて、背景画像を２値化してもよい。
【実施例２】
【０１７０】
次に、上述の実施例１に対して背景カーテン点検処理の動作が異なる実施例について、図１４、図１５、図２１、及び図２２を用いて説明する。  
なお、図２１は実施例２における背景カーテン点検処理の動作を示すフローチャートを示し、図２２は実施例２における色の閾値、及び閾値を説明する説明図を示している。  
また、上述の実施例１と同一の構成は、同じ符号を付してその詳細な説明を省略する。
【０１７１】
まず、上述の実施例１に対して、実施例２における写真シール作成装置１の記憶部３０２には、写真シール作成装置１を設置した際の正常な状態の背景カーテン１４１を展開した利用者不在の撮影空間Ｓａを予め撮影して作成した初期背景画像を記憶している。
【０１７２】
この初期背景画像は、正常な状態の背景カーテン１４１を撮影したものであるから、図１４（ａ）に示す正常背景画像２０と略同一のため、図示を省略する。さらに、写真シール作成装置１の記憶部３０２には、初期背景画像から取得した初期背景画像における画素毎のＲＧＢ値を初期背景画像のＲＧＢ値として予め記憶している。
【０１７３】
次に、背景カーテン点検処理を実行すると、図２１に示すように、制御装置３０１は、背景空間の撮影処理を実行して背景画像を取得する（ステップＳ７０１）。この背景空間の撮影処理は、上述の実施例１における図１２のステップＳ６０１と同じため、詳しい説明を省略する。
【０１７４】
なお、本実施例では、背景画像の例として、図１４（ａ）に示す正常背景画像２０、及び図１５（ａ）に示す異常背景画像３０を用いて説明する。
【０１７５】
背景画像を取得すると、制御装置３０１は、背景画像における画素毎にＲＢＧ値を取得し、画素毎に色の閾値との比較判定を行う（ステップＳ７０２）。この色の閾値は、初期背景画像のＲＧＢ値からの許容値に基づいて設定している。
【０１７６】
具体的には、色の閾値は、図２２（ａ）に示すように、初期背景画像のＲＧＢ値の各要素をそれぞれＲｆ、Ｇｆ、及びＢｆとし、所定の定数をα、β、及びγとして、Ｒ値をＲｆ±α、Ｇ値をＧｆ±β、Ｂ値をＢｆ±γとする範囲に設定している。
【０１７７】
背景画像における画素毎のＲＧＢ値の各要素（Ｒ値、Ｇ値、及びＢ値）が全て色の閾値の範囲内であれば（ステップＳ７０２：Ｙｅｓ）、制御装置３０１は、その画素を近似色として設定する（ステップＳ７０３）。一方、背景画像におけるＲＧＢ値の各要素が１つでも色の閾値の範囲外であれば（ステップＳ７０２：Ｎｏ）、制御装置３０１は、その画素を非近似色として設定する（ステップＳ７０４）。
【０１７８】
このようにして、異常背景画像４０の全ての画素に対して、近似色、あるいは非近似色の設定を行うと、制御装置３０１は、隣接する近似色同士とする近似色領域と、隣接する非近似色同士を一群とする非近似領域を形成する。
【０１７９】
例えば、図１４（ａ）に示した正常背景画像２０の場合、画素毎に上述の近似色、あるいは非近似色の設定を行うと、正常背景画像２０における背景カーテン１４１が近似色領域（透過領域２２の領域に相当）として形成され、正常背景画像２０における床面Ｆと影部分２０ａとの一群が非近似色領域（非透過領域２３の領域に相当）として形成される。
【０１８０】
また、図１５（ａ）に示した異常背景画像３０の場合、画素毎に上述の近似色、あるいは非近似色の設定を行うと、異常背景画像３０における背景カーテン１４１が近似色領域（透過領域３２の領域に相当）として形成され、異常背景画像３０における床面Ｆと壁面Ｗと影部分３０ａとの一群が非近似色領域（非透過領域３３の領域に相当）として形成される。
【０１８１】
その後、制御装置３０１は、非近似色領域の大きさを背景情報としてピクセル単位で算出する（ステップＳ７０５）。この際、制御装置３０１は、非近似領域ごとに大きさを算出する。非近似色領域の大きさを算出すると、制御装置３０１は、非近似色領域の大きさと非近似色領域に対する閾値とを比較判定する（ステップＳ７０６）。
【０１８２】
この閾値は、背景カーテン１４１の状態が正常な状態における非近似色領域の大きさに、バラツキを考慮した所定の値を加味して設定した値である。  
具体的には、非近似色領域に対する閾値は、図２２（ｂ）に示すように、一定の値であるＬピクセル以上とする。
【０１８３】
非近似色領域の大きさがＬピクセル未満であれば（ステップＳ７０６：Ｎｏ）、制御装置３０１は、背景カーテン１４１が正常であると判定し背景カーテン点検処理を終了する。一方、非近似色領域の大きさがＬピクセル以上であれば（ステップＳ７０６：Ｙｅｓ）、制御装置３０１は、背景カーテン１４１の異常を検知したと判定し、エラー情報を出力する（ステップＳ７０７）。その後、制御装置３０１は、背景カーテン点検処理を終了する。
【０１８４】
例えば、図１４（ａ）に示す正常背景画像２０の場合、正常背景画像２０が背景カーテン１４１の正常な状態を撮影したものであるから、正常背景画像２０における非近似色領域の大きさをＬピクセル未満とすると、制御装置３０１は、背景カーテン１４１の状態を正常であると判定する。
【０１８５】
また、図１５（ａ）に示す異常背景画像３０の場合、異常背景画像３０が背景カーテンに異常がある状態を撮影したものであるから、異常背景画像３０における非近似色領域の大きさをＬピクセル以上とすると、制御装置３０１は、背景カーテン１４１の状態を異常であると判定する。
【０１８６】
以上のような動作で背景カーテン１４１の点検を実現する写真シール作成装置１、及び写真シール作成装置１の背景カーテン点検方法は、背景カーテン１４１の状態を検知して、見栄えの良い写真シールを出力することができる。
【０１８７】
具体的には、背景カーテン１４１の状態が正常であれば、背景画像における非近似色領域の大きさは、撮影機会に関わらずほぼ一定となる。これに対して、背景カーテン１４１の状態が異常のある状態であれば、背景画像における非近似色領域の大きさが変化する。
【０１８８】
ゆえに、正常背景画像２０における非近似色領域の大きさに対して、異常背景画像３０における非近似色領域の大きさが大きくなる。これにより、背景カーテン１４１の状態を容易に検知することができる。
【０１８９】
従って、写真シール作成装置１は、背景画像における非近似色領域の大きさを背景情報として取得することで、背景カーテン１４１の状態を容易に検知することができる。
【０１９０】
なお、上述の実施例２の図２１のステップＳ７０２において、色の閾値を、初期背景画像のＲＧＢ値からの許容値に基づいて設定したが、これに限定せず、上述の実施例１と同様に、ＲＧＢ値の絶対値の範囲で設定してもよい。
【０１９１】
また、非近似色領域に対する閾値を１つとして説明したが、これに限定せず、２つの閾値を設定してもよい。  
具体的には、非近似色領域に対する閾値を、図２２（ｃ）に示すように、第１閾値と第２閾値で構成し、第１閾値を背景カーテン１４１が正常な状態における非近似色領域の大きさに見栄えに影響がない汚れなどを示す非近似色領域の大きさを加味した値であるＬ１ピクセル以上とし、第２閾値を背景カーテン１４１の状態が明らかに異常な状態であることを示す値であるＬ２ピクセル以上とする。
【０１９２】
そして、例えば、図２１のステップＳ７０１の処理により背景画像として、実施例２における異常背景画像４０、及び近似色領域４２と非近似色領域４３，４４を説明する説明図を示す図２３（ａ）のような異常背景画像４０を取得したとする。
【０１９３】
この異常背景画像４０は、図２３（ａ）に示すように、背景カーテン１４１上に生じた汚れ部分４０ｂを有する背景カーテン１４１が撮影空間Ｓａの床面Ｆまで正常に展開された状態を撮影している。なお、異常背景画像４０における下端両隅には、照明不足となった影部分４０ａも撮影されている。
【０１９４】
そして、図２１のステップＳ７０２〜Ｓ７０５の処理により、図２３（ｂ）に示すように、異常背景画像４０は、異常背景画像４０における床面Ｆと影部分４０ａとの一群が非近似色領域４３として設定され、汚れ部分４０ｂが非近似色領域４４として設定され、それ以外の背景カーテン１４１の正常な部分が近似色領域４２として設定された領域画像４１に置き換えられる。その後、制御装置３０１は、非近似色領域４３、及び４４のそれぞれの大きさを算出する。
【０１９５】
そして、図２１のステップＳ７０６において、制御装置３０１は、この非近似色領域４３、及び４４の大きさの合計に対して、第１閾値、及び第２閾値の順に比較判定を行う。  
具体的には、制御装置３０１は、まず非近似色領域４３、及び４４の大きさの合計と第１閾値とを比較判定を行い、第１閾値の範囲外であれば、第２閾値と比較判定を行う。
【０１９６】
そして、非近似色領域４３、及び４４の大きさの合計が第２閾値未満であれば、制御装置３０１は、背景カーテン１４１の状態が写真シールの見栄えに影響はないが、汚れなどがある状態であると判定し、店員に対してスピーカ２１２による確認を要求する音声案内などの通知を行う。
【０１９７】
一方、第２閾値の範囲外であれば、制御装置３０１は、背景カーテン１４１に明らかな異常がある状態であると判定し、ステップＳ７０７に処理をすすめエラー情報を出力したのち、背景カーテン点検処理を終了する。
【０１９８】
例えば、正常背景画像３０における非近似色領域と同じ大きさの非近似色領域４３と非近似色領域４４との大きさの合計がＬ１ピクセル未満であれば、制御装置３０１は、背景カーテン１４１が正常な状態であると判定し、背景カーテン点検処理を終了し、図１０のステップＳ５０３に処理をすすめる。
【０１９９】
また、非近似色領域４３、及び非近似色領域４４の大きさの合計がＬ１ピクセル以上、Ｌ２ピクセル未満であれば、制御装置３０１は、経年などにより非近似色領域４４が大きくなったと判定するとともに、背景カーテン１４１の状態が確認を要する状態であると判定し、店員に対してスピーカ２１２による確認を要求する音声案内などの通知を行う。
【０２００】
その後、制御装置３０１の指示により、タッチパネル１１２は、店員に対して背景カーテン１４１の状態の確認を促す状態確認画面（図示省略）を表示する。  
この状態確認画面には、「写真シールの品質に影響するおそれのある異常を検知しました。背景カーテンの汚れなどがないか確認して下さい。背景カーテンの状態が正常であれば、完了ボタンを押して下さい。背景カーテンに破れや汚れがある状態であれば、終了ボタンを押して下さい。」という案内メッセージを表示している。
【０２０１】
そして、店員が状態確認画面に従って背景カーテン１４１の状態の確認し、清掃等の処置を行った後、完了ボタンが押下されると、制御装置３０１は、背景カーテン１４１が正常な状態であると判定し、背景カーテン点検処理を終了し、図１０のステップＳ５０３に処理をすすめる。一方、状態確認画面の終了ボタンが押下されると、制御装置３０１は、背景カーテン１４１に明らかな異常がある状態であると判定し、ステップＳ７０７に処理をすすめエラー情報を出力したのち、背景カーテン点検処理を終了し、図１０のステップＳ５０３に処理にすすめる。
【０２０２】
また、非近似色領域４３、及び非近似色領域４４の大きさの合計がＬ２ピクセル以上であれば、制御装置３０１は、背景カーテン１４１に明らかな異常がある状態であると判定し、ステップＳ７０７に処理をすすめエラー情報を出力したのち、背景カーテン点検処理を終了し、図１０のステップＳ５０３に処理にすすめる。
【０２０３】
なお、非近似色領域に対する閾値を、初期背景画像における非近似色領域の大きさからの許容値に基づいて設定してもよい。この場合、非近似色領域４３、及び４４の大きさの合計から初期背景画像における非近似色領域の大きさを差し引いた大きさを算出し、閾値との比較判定を行う。
【０２０４】
これにより、写真シール作成装置１は、背景カーテン１４１が正常に展開されていても、背景カーテン１４１上の破れや汚れを検出することができる。さらに、非近似色領域の大きさに基づいて判定することにより、写真シールの見栄えに影響がない軽微な破れや汚れ、展開不良などを背景カーテン１４１の異常として検知することを防止できる。  
従って、写真シール作成装置１は、より正確に背景カーテン１４１の状態を検知することができる。
【０２０５】
また、上述の実施例１と同様に、背景画像の全域を示す第１領域と、背景画像の所定の範囲を示す第２領域とを設定し、第１領域、及び第２領域のそれぞれに対して閾値との比較判定を行ってもよい。加えて、第１領域、及び第２領域に対して、それぞれ異なる非近似色領域に対する閾値を設定してもよい。
【実施例３】
【０２０６】
次に、上述の実施例１、及び実施例２に対して、背景カーテン点検処理の動作が異なる実施例について、図１４、図１５、及び図２４から図２６を用いて説明する。  
なお、図２４は実施例３における背景カーテン点検処理の動作を示すフローチャートを示し、図２５は実施例３における閾値を説明する説明図を示し、図２６は実施例３におけるカメラ１１１の画角を確認・調整する画角調整画面１７を示している。  
また、上述の実施例１、及び実施例２と同一の構成は、同じ符号を付してその詳細な説明を省略する。
【０２０７】
背景カーテン点検処理を実行すると、制御装置３０１は、処理カウンターＮを「０」にセットする（ステップＳ８０１）。その後、制御装置３０１は、背景空間の撮影処理を実行して背景画像を取得する（ステップＳ８０２）。この背景空間の撮影処理は、上述の実施例１における図１２のステップＳ６０１と同じため、詳しい説明を省略する。  
なお、本実施例では、背景画像の例として、図１４（ａ）に示す正常背景画像２０、及び図１５（ａ）に示す異常背景画像３０を用いて説明する。
【０２０８】
背景画像を取得すると、制御装置３０１は、背景画像からマスク画像を作成するマスク画像作成処理を実行する。（ステップＳ８０３）。このマスク画像作成処理は、上述の実施例１における図１２のステップＳ６０２からステップＳ６０５の処理と同一のため、その詳しい説明を省略する。
【０２０９】
マスク画像を作成すると、制御装置３０１は、マスク画像から透過領域と非透過領域との境界を示す境界位置情報を背景情報として取得する境界位置情報取得処理を実行する（ステップＳ８０４）。この際、制御装置３０１は、マスク画像における横方向、及び縦方向に走査して、マスク画像の左端からのピクセル数、及びマスク画像の上端からのピクセル数を境界位置情報として取得する。
【０２１０】
マスク画像から境界位置情報を取得すると、制御装置３０１は、処理カウンターＮに「１」を加算する（ステップＳ８０５）。その後、制御装置３０１は、境界位置情報と境界位置情報に対する閾値とを比較判定する（ステップＳ８０６）。
【０２１１】
この境界位置情報に対する閾値は、背景カーテン１４１が正常な状態における境界位置情報に、バラツキを考慮した所定の値を加味した値に設定している。  
具体的には、境界位置情報に対する閾値は、図２５（ａ）に示すように、横方向に走査した際における左側（右側）の境界位置をマスク画像の左端からＸＬｍｉｎ（ＸＲｍｉｎ）ピクセル〜ＸＬｍａｘ（ＸＲｍａｘ）ピクセルとし、縦方向に走査した際における上側（下側）の境界位置をマスク画像の上端からＹＴｍｉｎ（ＹＢｍｉｎ）ピクセル〜ＹＴｍａｘ（ＹＢｍａｘ）ピクセルの範囲に設定している。
【０２１２】
マスク画像における境界位置情報が閾値の範囲内であれば（ステップＳ８０６：Ｎｏ）、制御装置３０１は、背景カーテン１４１の状態が正常であると判定し、背景カーテン点検処理を終了する。一方、マスク画像における境界位置情報が閾値の範囲外であれば（ステップＳ８０６：Ｙｅｓ）、制御装置３０１は、処理カウンターＮの数を判定する（ステップＳ８０７）。
【０２１３】
処理カウンターＮが「２」未満であれば（ステップＳ８０７：Ｎｏ）、制御装置３０１の指示により、タッチパネルモニタ１１２は、図２６に示す画角調整画面１７（ステップＳ８０８）を表示する。
【０２１４】
この画角調整画面１７には、図２６に示すように、「背景空間もしくはカメラ画角に異常を検知しました。初めにカメラ画角の設定を確認・調整して下さい。」という案内メッセージと、カメラ１１１で取得している動画映像をリアルタイム表示する撮像枠１７ａと、押下することでカメラ１１１の画角を縦横に調整することができる撮影範囲調整ボタン１７ｂと、押下することで調整前の状態に戻すことができる戻るボタン１７ｃと、押下することで設定を保存することができる設定保存ボタン１７ｄと、押下することで画角調整画面１７を閉じることができる閉じるボタン１７ｅとを表示している。
【０２１５】
なお、画角調整画面１７を表示した際、制御装置３０１は、事後接客ユニット２１０のタッチパネルモニタ２１１による背景カーテン１４１の異常を検知したことを通知するエラーメッセージ画面（図示省略）の表示やスピーカ２１２による音声案内によって、店員に背景カーテン１４１の異常を検知したことを報知する。
【０２１６】
その後、制御装置３０１は、閉じるボタン１７ｅが押下されたか否かを判定する（ステップＳ８０９）。閉じるボタン１７ｅが押下されると（ステップＳ８０９：Ｙｅｓ）、制御装置３０１は、店員が画角調整を行っていない、あるいは調整した設定を保存せず画角調整画面１７を閉じたため、背景カーテン１４１もしくはカメラ１１１の画角の異常が解消されていないと判定し、エラー情報を出力する（ステップＳ８１０）。その後、制御装置３０１は、背景カーテン点検処理を終了する。
【０２１７】
一方、ステップＳ８０９において、閉じるボタン１７ｅが押下されず（ステップＳ８０９：Ｎｏ）、設定保存ボタン１７ｄが押下されると（ステップＳ８１１：Ｙｅｓ）、制御装置３０１は、カメラ１１１の画角が再設定されたと判定し、処理をステップＳ８０２に戻して、背景空間の撮影処理を再度実行する。
【０２１８】
ステップＳ８１１において、設定保存ボタン１７ｄが押下されなければ（ステップＳ８１１：Ｎｏ）、制御装置３０１は、処理をステップＳ８０９に戻して、閉じるボタン１７ｅ、あるいは設定保存ボタン１７ｄが押下されるまで待機する。
【０２１９】
また、ステップＳ８０７において、処理カウンターが「２」以上であれば（ステップＳ８０７：Ｙｅｓ）、制御装置３０１は、カメラ１１１の画角を調整した後の背景画像から背景カーテン１４１の異常を検知したと判定し、処理をステップＳ８１０に進めエラー情報を出力したのち、背景カーテン点検処理を終了する。
【０２２０】
例えば、上述の図１４（ｂ）に示した正常マスク画像２１の場合、透過領域２２と非透過領域２３との境界位置情報は閾値の範囲内であるため、制御装置３０１は、背景カーテン１４１の状態が正常であると判定する。
【０２２１】
また、上述の図１５（ｂ）に示した異常マスク画像３１の場合、透過領域３２と非透過領域３３との境界位置情報は閾値の範囲外であるため、制御装置３０１は、タッチパネルモニタ１１２に画角調整画面１７を表示させる。ここで、異常背景画像３０における背景カーテン１４１は、完全に下降していない昇降不良のため、画角調整画面１７の指示に従ってカメラ１１１の画角を調整しても背景カーテン１４１の異常が解消されないとする。この場合、異常マスク画像３１を再度取得するため、制御装置３０１は、背景カーテン１４１の異常が解消されないと判定してエラー情報を出力する。
【０２２２】
以上のような動作で背景カーテン１４１の点検を実現する写真シール作成装置１、及び写真シール作成装置１の背景カーテン点検方法は、背景カーテン１４１の状態を検知して、見栄えの良い写真シールを出力することができる。
【０２２３】
具体的には、背景カーテン１４１の状態が正常であれば、背景画像（マスク画像）における透過領域と非透過領域の大きさや範囲は、撮影機会に関わらずほぼ一定となる。これに対して、背景カーテン１４１に破れや汚れ、展開不良などが生じた場合、背景画像（マスク画像）における透過領域と非透過領域の大きさや範囲が変化する。つまり、正常背景画像２０（正常マスク画像２１）における透過領域２２と非透過領域２３の境界を示す境界位置情報に対して、異常背景画像３０（異常マスク画像３１）における境界位置情報の値が変化する。
【０２２４】
このため、背景画像における透過領域と非透過領域との境界位置情報を背景情報として取得することで、背景カーテン１４１の状態を容易に検知することができる。  
従って、写真シール作成装置１は、背景画像における透過領域と非透過領域との境界位置情報から背景カーテン１４１の状態を検知することができる。
【０２２５】
また、境界位置情報に対する閾値を、横方向に走査した際におけるマスク画像の左端からの所定の範囲、及び縦方向に走査した際における上端からの所定の範囲とした場合、背景カーテン１４１が大幅にずれると、背景カーテン１４１の右側の境界位置情報が、境界位置情報に対する閾値の範囲内となり、背景カーテン１４１の状態を正常に検知できないおそれがある。これに対して、境界位置情報に対する閾値を、横方向に走査した際における左側、及び右側の境界位置と、縦方向に走査した際における上側、及び下側の境界位置としたことにより、背景画像のおける背景カーテン１４１が大幅にずれても背景カーテン１４１の状態を確実に検知することができる。
【０２２６】
なお、上述の実施例３の図２４のステップＳ８０３において、上述の実施例１と同様に行ったが、この際、色の閾値を実施例１ではなく、実施例２における色の閾値と同様に設定してもよい。
【０２２７】
また、図２４のステップS８０６において、境界位置情報に対する閾値を境界位置情報の絶対値の範囲で設定したが、これに限定せず、正常な状態の背景カーテン１４１を撮影した初期背景画像に基づいて作成した初期マスク画像の境界位置情報からの許容値に基づいて境界位置情報に対する閾値を設定してもよい。
【０２２８】
具体的には、写真シール作成装置１を設置した際、あるいはカメラ１１１や背景カーテン１４１を交換した際に取得した初期背景画像に基づいて初期マスク画像を作成する。この初期マスク画像は、図１４（ｂ）に示す正常マスク画像２１と略同一であり、図示を省略する。さらに、図２４のステップＳ８０４の処理を行い、初期マスク画像の境界位置情報を算出して予め記憶部３０２に記憶する。
【０２２９】
そして、この初期マスク画像を横方向に走査した際における左側（右側）の境界位置情報を初期マスク画像の左端からＸＬｆ（ＸＲｆ）ピクセル、縦方向に走査した際における上側（下側）の境界位置情報を初期マスク画像の上端からＹＴｆ（ＹＢｆ）ピクセルとし、所定の定数をα、及びβピクセルとして、境界位置情報に対する閾値を、図２５（ｂ）に示すように、横方向に走査した際における左側（右側）の境界位置をマスク画像の左端からＸＬｆ±α（ＸＲｆ±α）ピクセルとし、縦方向に走査した際における上側（下側）の境界位置をマスク画像の上端からＹＴｆ±β（ＹＢｆ±β）ピクセルとする範囲としてもよい。
【０２３０】
これにより、写真シール作成装置１の種類や構造、設置場所、あるいは背景カーテン１４１の種類に応じた閾値を設定することを不要にできる。さらに、写真シール作成装置１や背景カーテン１４１の固体差によって、正常な状態の背景カーテン１４１を異常と誤判定することを防止できる。
【０２３１】
さらに、初期背景画像に基づく閾値と背景画像の境界位置情報とを比較するため、背景カーテン１４１に異常がない場合、カメラ１１１の経年劣化などの不具合を疑うことができる。これにより、背景カーテン１４１の異常だけでなく、カメラ１１１などの不具合も早期に検知することができ、適切な対応を行うことで常に見栄えの良い写真シールを出力することができる。
【０２３２】
従って、写真シール作成装置１は、初期背景画像に基づく閾値と背景画像の境界位置情報とを比較判定することで、背景カーテン１４１の状態を検知するだけでなく、カメラ１１１などの不具合も検知することができる。
【０２３３】
また、上述の実施例１から実施例３において、写真シール作成装置１の電源投入ごとに背景カーテン１４１の状態を検知する説明をしたが、これに限定せず、写真シール作成装置１のメンテナンスモードから起動時処理を実行する構成としてもよい。  
この際、背景画像を撮影すると、制御装置３０１は、メンテナンスモードにおける背景画像を確認する背景画像確認画面１８を示す図２７のような画面をタッチパネル１１２に表示させる。
【０２３４】
この背景画像確認画面１８には、「撮影結果です。人や物が写っていない場合はＯＫボタンを押して下さい。人や物が写っている場合はＮＧボタンを押して下さい。」という案内メッセージと、撮影した背景画像を表示した画像表示枠１８ａと、ＯＫボタン１８ｂと、ＮＧボタン１８ｃとを表示している。
【０２３５】
そして、画像表示枠１８ａに表示された背景画像、及び案内メッセージに従って、店員やメンテナンス係がＯＫボタン１８ｂを押下すると、制御装置３０１は、画像表示枠１８ａに表示された背景画像に基づいて背景カーテン１４１の状態を検知する。これにより、写真シール作成装置１における背景カーテン１４１の点検を任意のタイミングで行うことができる。
【０２３６】
また、１枚の背景カーテン１４１で説明したが、これに限定せず、複数枚の背景カーテンを備えてもよい。この場合、写真シール作成装置１の制御装置３０１は、複数の背景カーテンを順に展開して背景カーテンの状態を検知することで、全ての背景カーテンを自動的に点検することができる。これにより、店員が複数の背景カーテンを点検する手間を大幅に軽減することができる。
【０２３７】
また、背景カーテン１４１を単一色としたが、これに限定せず、景色などが印刷された背景カーテンであってもよい。  
また、背景カーテン１４１をモータ駆動による昇降式としたが、これに限定せず、予め後部ユニット１２０に設置された状態であってもよい。
【０２３８】
また、上述の実施例３の図２４のステップＳ８０６において、閾値の範囲外であれば、カメラ１１１の画角調整を行う画角調整画面１７を表示したが、上述の実施例１、及び実施例２においても同様に画角調整画面１７を表示してもよい。
【０２３９】
また、エラー情報が出力されると、エラー情報を写真シール作成装置１におけるエラーログ情報として通信部３０３から通信網を介してサーバに送信してもよい。これにより、背景カーテン１４１の異常を迅速に通知して、点検あるいは修理など適切な処理を迅速に行うことができる。
【０２４０】
また、タッチパネルモニタ２１１にエラーメッセージ画面を表示したが、これに限定せず、編集ユニット２００のタブレット内蔵モニタ２０３に表示してもよい。これにより、編集空間ＳｂあるいはＳｃにいる店員に対して背景カーテン１４１の異常を通知することができる。
【０２４１】
また、色の閾値、及び閾値は、上述の実施例１から３に限定せず、背景画像から背景カーテン１４１の状態を示す背景情報として取得できる色の閾値、及び背景情報から背景カーテン１４１の状態を検知できる閾値であれば、適宜に設定してもよい。
【０２４２】
例えば、ＲＧＢ値の各要素を軸とする三次元仮想座標において、正常な状態の背景カーテン１４１の色を変換したＲＧＢ値を正常ＲＧＢ値するとともに、中心点とし、正常ＲＧＢ値から所定の値を半径とする球形範囲を仮定する。この球形範囲が正常ＲＧＢ値にバラツキを加味した値の範囲であり、球形範囲における半径（距離）を色の閾値としてもよい。  
この場合、正常ＲＧＢ値の各要素をＲｄ、Ｇｄ、Ｂｄとし、背景画像のＲＧＢ値の各要素をＲ、Ｇ、Ｂとすると、背景画像から（Ｒ―Ｒｄ）２＋（Ｇ−Ｇｄ）２＋（Ｂ−Ｂｄ）２値を算出し、色の閾値との比較判定を行う。
【０２４３】
あるいは、初期背景画像におけるＲＧＢ値までの距離からの許容値に基づいて色の閾値を設定してもよい。  
この場合、初期背景画像におけるＲＧＢ値の各要素をＲｆ、Ｇｆ、Ｂｆとすると、初期背景画像、及び背景画像から（Ｒ―Ｒｆ）２＋（Ｇ−Ｇｆ）２＋（Ｂ−Ｂｆ）２値を算出し、色の閾値との比較判定を行ってもよい。
【０２４４】
また、実施例１から３において詳述したＲＧＢ値の値で示した色の閾値、あるいは上述した三次元仮想座標における距離で示した色の閾値のうち、いずれか１つと背景画像とを比較判定したが、これに限定せず、複数の色の閾値を用いて背景画像を比較判定し、その判定結果から取得した複合的な結果に基づいて背景情報を取得する構成としてもよい。
【０２４５】
具体的には、上述の実施例では、ＲＧＢ値の絶対値、初期背景画像のＲＧＢ値からの許容値、三次元仮想座標における正常ＲＧＢ値からの距離、あるいは初期背景画像のＲＧＢ値までの距離からの許容値に基づいて設定した値を、色の閾値の一例として説明した。そして、上述の実施例では、このように設定した色の閾値のうちいずれか１つと背景画像とを比較判定して背景情報を取得した。
【０２４６】
これに対して、まず、背景画像を複数の色の閾値とそれぞれ比較判定し、それぞれの判定結果を取得する。そして、これら判定結果を複合した１つの複合的な判定結果に基づいて背景情報を取得してもよい。  
あるいは、背景画像と色の閾値とを比較判定し、その判定結果に応じて、別の色の閾値と背景画像とを比較判定して取得した複合的な結果に基づいて背景情報を取得してもよい。
【０２４７】
例えば、ＲＧＢ値の絶対値の範囲で設定した色の閾値、及び初期背景画像のＲＧＢ値までの距離からの許容値で設定した色の閾値と背景画像とをそれぞれ比較判定し、両方の色の閾値を満足すれば、背景情報を取得する構成としてもよい。もしくはいずれか一方の色の閾値を満足していれば、背景情報を取得するようにしてもよい。
【０２４８】
あるいは、背景画像におけるＲＧＢ値とＲＧＢ値の所定の値に対する色の閾値とを比較判定し、ＲＧＢ値の所定の値に対する色の閾値を満足していなければ、背景画像から算出した三次元仮想座標における距離と、三次元仮想座標における距離で示した色の閾値とを比較判定して背景情報を取得してもよい。
【０２４９】
このように上述した複数の色の閾値を用いて背景画像を比較判定し、その判定結果から取得した複合的な結果に基づいて背景情報を取得することにより、背景画像からある要素が突出したＲＧＢ値によって誤った背景情報を取得するおそれがなく、背景カーテン１４１の状態を示す背景情報をより正確に取得することができる。
【０２５０】
この発明の構成と、上述の実施形態との対応において、
この発明の被写体は、実施形態の利用者Ｍに対応し、
以下同様に、
撮影手段は、撮影ユニット１００、カメラ１１１、及び撮影部３１０に対応し、
撮影した画像は、撮影画像、及び合成画像に対応し、
編集手段は、編集ユニット２００、及び編集部３２０に対応し、
所定の画像は、撮影画像、合成画像、及び編集画像に対応し、
シールは、シール紙３３３に対応し、
印刷手段は、プリンタ３３１に対応し、
背景画像は、正常背景画像２０、異常背景画像３０、及び異常背景画像４０に対応し、
背景情報は、背景画像における透過領域が占める割合、非近似色領域の大きさ、及び境界位置情報に対応し、
背景判定手段は、制御装置３０１に対応し、
所定の値は、透過領域に対する閾値、非近似色領域に対する閾値、および境界位置情報に対する閾値に対応し、
画素毎の色情報は、ＲＧＢ値に対応し、
所定の色値範囲は、色の閾値に対応し、
近似色領域は、透過領域２２、透過領域３２、及び近似色領域４２に対応し、
非近似色領域は、非透過領域２３、非透過領域３３、非近似色領域４３、及び非近似色領域４４に対応し、
報知手段は、タッチパネルモニタ１１２、タッチパネルモニタ２１１、スピーカ１１８、及びスピーカ２１２に対応し、
記憶手段は、記憶部３０２に対応し、
背景画像作成処理は、ステップＳ６０１、ステップＳ７０１、及びステップＳ８０２に対応し、
背景情報取得処理は、ステップＳ６０２〜Ｓ６０６、ステップＳ７０２〜Ｓ７０５、及びステップＳ８０３〜Ｓ８０４に対応し、
判定処理は、ステップＳ６０７〜Ｓ６０８、ステップＳ７０６〜Ｓ７０７、及びステップＳ８０６〜Ｓ８１０に対応するが、
この発明は、上述の実施形態の構成のみに限定されるものではなく、多くの実施の形態を得ることができる。
【符号の説明】
【０２５１】
１…写真シール作成装置
２０…正常背景画像
２２…透過領域
２３…非透過領域
３０…異常背景画像
３２…透過領域
３３…非透過領域
３４…第１領域
３５…第２領域
４０…異常背景画像
４２…近似色領域
４３…非近似色領域
４４…非近似色領域
１００…撮影ユニット
１１１…カメラ
１１２…タッチパネルモニタ
１１８…スピーカ
１４１…背景カーテン
２００…編集ユニット
２１１…タッチパネルモニタ
２１２…スピーカ
３０１…制御装置
３０２…記憶部
３１０…撮影部
３２０…編集部
３３１…プリンタ
３３３…シール紙
Ｍ…利用者
Ｓａ…撮影空間
【図１】
0005482817.tif 000002
【図２】
0005482817.tif 000003
【図３】
0005482817.tif 000004
【図４】
0005482817.tif 000005
【図５】
0005482817.tif 000006
【図６】
0005482817.tif 000007
【図７】
0005482817.tif 000008
【図８】
0005482817.tif 000009
【図９】
0005482817.tif 000010
【図１０】
0005482817.tif 000011
【図１１】
0005482817.tif 000012
【図１２】
0005482817.tif 000013
【図１３】
0005482817.tif 000014
【図１４】
0005482817.tif 000015
【図１５】
0005482817.tif 000016
【図１６】
0005482817.tif 000017
【図１７】
0005482817.tif 000018
【図１８】
0005482817.tif 000019
【図１９】
0005482817.tif 000020
【図２０】
0005482817.tif 000021
【図２１】
0005482817.tif 000022
【図２２】
0005482817.tif 000023
【図２３】
0005482817.tif 000024
【図２４】
0005482817.tif 000025
【図２５】
0005482817.tif 000026
【図２６】
0005482817.tif 000027
【図２７】
0005482817.tif 000028